(57)【特許請求の範囲】
【請求項１】
支持対象に対して開閉可能に支持された開閉体と、当該開閉体の背面側又は後方に設けられ外部電源から供給される電力に基づいて動作する電気機器と、を備えている遊技機において、
複数段階の待機状態が予め設定されており、前記外部電源からの電力供給の少なくとも遮断中において、前記開閉体が開閉操作された場合、前記待機状態が当該開閉操作前の状態から変更される監視手段と、
前記外部電源からの電力供給が遮断された場合における前記監視手段の待機状態を記憶する記憶手段と、
前記監視手段の待機状態を把握する把握手段と、
前記外部電源からの電力供給が開始された場合に前記記憶手段に記憶された待機状態と前記把握手段により把握された待機状態とを比較する比較手段と、
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと及び前記第２位置から前記第１位置に移動したことの少なくとも一方に機械的に連動して待機位置が変更される連動体と、
前記複数段階の待機状態として複数段階の検知状態が予め設定されており、前記連動体の待機位置に応じて前記検知状態が変更される検知手段と、
を備え、
当該検知手段の検知状態は、前記移動体が前記第１位置から前記第２位置に移動したことに基づいて変更され、前記移動体が前記第２位置から前記第１位置に移動したとしても変更されないことを特徴とする遊技機。
【発明の詳細な説明】
【技術分野】
【０００１】
本発明は、遊技機に関するものである。
【背景技術】
【０００２】
遊技機の一種であるパチンコ機は、外枠に対して開閉可能に取り付けられた本体枠と、本体枠に対して開閉可能に取り付けられた前面扉とを備えている。また、パチンコ機には、制御装置が設けられているとともに、外枠に対する本体枠の開放や本体枠に対する前面扉の開放を検知する開放スイッチが設けられている。そして、前面扉や本体枠が開放された場合には、それらの開放が開放スイッチにより検知され、その検知結果が制御装置に入力される。制御装置では、開放スイッチからの検知結果に基づいて前面扉や本体枠が開放されたと判断した場合、スピーカ部やランプ部を用いてその旨の報知などを実行する（例えば、特許文献１参照）。
【０００３】
ここで、パチンコ機においては、前面扉を開放し、本体枠の前面側に設けられた遊技領域に対して不正を行う行為が想定される。また、本体枠を開放し、本体枠の背面側に搭載された制御装置に対して不正を行う行為が想定される。これに対して、パチンコ機の電源が投入されている状況では、上記のとおり、前面扉や本体枠の開放が制御装置において把握され、それに対して報知処理などが実行されるため、遊技ホールの管理者等は上記不正行為に対処することができる。
【先行技術文献】
【特許文献】
【０００４】
【特許文献１】特開２００２−３２０７４４号公報
【発明の概要】
【発明が解決しようとする課題】
【０００５】
ここで、電源遮断中における不正行為に対処可能な構成を提供する必要があり、この点について未だ改良の余地がある。
【０００６】
なお、上記問題は、パチンコ機に限って発生するものではなく、前面扉や本体枠などの開閉体を有する他の遊技機にも同様に発生するものである。
【０００７】
本発明は、上記例示した事情等に鑑みてなされたものであり、電源遮断中における不正行為に対処可能な遊技機を提供することを目的とするものである。
【課題を解決するための手段】
【０００８】
上記課題を解決すべく請求項１記載の発明は、支持対象に対して開閉可能に支持された開閉体と、当該開閉体の背面側又は後方に設けられ外部電源から供給される電力に基づいて動作する電気機器と、を備えている遊技機において、
複数段階の待機状態が予め設定されており、前記外部電源からの電力供給の少なくとも遮断中において、前記開閉体が開閉操作された場合、前記待機状態が当該開閉操作前の状態から変更される監視手段と、
前記外部電源からの電力供給が遮断された場合における前記監視手段の待機状態を記憶する記憶手段と、
前記監視手段の待機状態を把握する把握手段と、
前記外部電源からの電力供給が開始された場合に前記記憶手段に記憶された待機状態と前記把握手段により把握された待機状態とを比較する比較手段と、
を備え、
前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体と、
予め設定された複数の待機位置に段階的に移動可能に設けられ、前記移動体が前記第１位置から前記第２位置に移動したこと及び前記第２位置から前記第１位置に移動したことの少なくとも一方に機械的に連動して待機位置が変更される連動体と、
前記複数段階の待機状態として複数段階の検知状態が予め設定されており、前記連動体の待機位置に応じて前記検知状態が変更される検知手段と、
を備え、
当該検知手段の検知状態は、前記移動体が前記第１位置から前記第２位置に移動したことに基づいて変更され、前記移動体が前記第２位置から前記第１位置に移動したとしても変更されないことを特徴とする。
【発明の効果】
【０００９】
本発明によれば、電源遮断中における不正行為に対処可能となる。
【図面の簡単な説明】
【００１０】
【図１】第１の実施形態におけるパチンコ機を示す正面図である。
【図２】パチンコ機の主要な構成を展開して示す斜視図である。
【図３】パチンコ機の主要な構成を展開して示す斜視図である。
【図４】パチンコ機の構成を示す背面図である。
【図５】前扉枠の構成を示す背面図である。
【図６】本体枠の構成を示す正面図である。
【図７】遊技盤の構成を示す正面図である。
【図８】本体枠の構成を示す背面図である。
【図９】遊技盤の背面構成を示す斜視図である。
【図１０】遊技盤から主制御装置ユニットを取り外した状態を示す背面図である。
【図１１】主制御装置ユニットの構成を示す斜視図である。
【図１２】裏パックユニットの構成を示す正面図である。
【図１３】裏パックユニットの分解斜視図である。
【図１４】第１監視装置を説明するための説明図である。
【図１５】第２監視装置を説明するための説明図である。
【図１６】監視装置の構成を示す斜視図である。
【図１７】監視装置の構成を示す分解斜視図である。
【図１８】監視装置の構成を示す断面図である。
【図１９】（ａ）蓋用ケース体の構成を示す側面図、（ｂ）プッシャの構成を示す側面図、（ｃ）回転子の構成を示す側面図、（ｄ）円盤の構成を示す側面図、（ｅ）回転軸体の構成を示す側面図である。
【図２０】プッシャの移動に連動した円盤の回転動作を説明するための説明図である。
【図２１】蓋用ケース体の筒状領域、プッシャの開放部側及び回転子の大径部を展開して示す説明図である。
【図２２】検知装置の構成を示す平面図である。
【図２３】（ａ）円盤の構成を示す平面図、（ｂ）（ａ）のＡ―Ａ線断面図である。
【図２４】円盤によって電気的に導通される金属端子の組合せと当該円盤の待機位置との関係について説明するための説明図である。
【図２５】円盤によって電気的に導通される金属端子の組合せと当該円盤の待機位置との関係について説明するための説明図である。
【図２６】検知装置からの検知信号パターンの切り替わりタイミングを説明するための説明図である。
【図２７】パチンコ機の電気的構成を示すブロック図である。
【図２８】主制御回路のＣＰＵによるＮＭＩ割込み処理を示すフローチャートである。
【図２９】タイマ割込み処理を示すフローチャートである。
【図３０】メイン処理を示すフローチャートである。
【図３１】通常処理を示すフローチャートである。
【図３２】電源遮断中における前扉枠及び遊技機主部の不正開放の監視に関する電気的構成を示すブロック図である。
【図３３】通常時更新処理を示すフローチャートである。
【図３４】第１更新処理を示すフローチャートである。
【図３５】電断時更新処理を示すフローチャートである。
【図３６】第２の実施形態における監視装置を説明するための説明図である。
【図３７】第３の実施形態におけるスロットマシンを説明するための斜視図である。
【図３８】別の監視装置を説明するための説明図である。
【発明を実施するための形態】
【００１１】
はじめに、本実施の形態から抽出され得る発明群を手段ｎ（ｎ＝１，２，３…）として区分して示し、それらを必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１２】
手段１．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給の少なくとも遮断中において、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００１３】
手段１の遊技機では、外部電源から供給された電力に基づいて電気機器が動作することで、遊技が進行することとなる。
【００１４】
当該構成において、複数段階の待機状態を有する監視手段が設けられており、外部電源からの電力供給の遮断中に開閉体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、遊技機において当該不正行為が行われたことを把握することが可能となり、当該不正行為に対処することが可能となる。
【００１５】
なお、「前記開閉体が開閉操作された場合、前記待機状態が当該開閉操作前の状態から変更される」には、「閉鎖状態にある前記開閉体が開放操作されたこと又は開放状態にある前記開閉体が閉鎖操作されたことの少なくとも一方に基づいて前記待機状態が変更されるとともに、閉鎖操作後には前記待機状態が開閉操作前の状態から変更される」構成も含まれる。これは、以下の独立手段においても同様である。
【００１６】
手段２．支持対象に対して開閉可能に支持された開閉体（遊技機主部１２、前扉枠１４等）と、当該開閉体の背面側又は後方に設けられ外部電源から供給される電力に基づいて動作する電気機器（可変入賞装置８３、主制御装置１６２、払出装置２２４、払出制御装置２４２等）と、を備えている遊技機において、
複数段階の待機状態が予め設定されているとともに、前記外部電源からの電力供給が行われている状況及び電力供給が遮断されている状況のいずれにおいても、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶するとともに、自身に電力が供給されている間は記憶した情報の保持を可能とする記憶手段（ＲＡＭ３１３の第１検知状態格納エリア３１３ａ，第２検知状態格納エリア３１３ｂ）と、
前記外部電源からの電力供給が停止されている状況において前記記憶手段に電力を供給する電断時用電源手段（データ記憶保持用コンデンサ３２１ｃ）と、
前記監視手段の待機状態を把握する把握手段（ＣＰＵ３１１における検知状態把握処理を行う機能）と、
前記外部電源からの電力供給が開始された場合に、前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００１７】
手段２の遊技機では、外部電源から供給された電力に基づいて電気機器が動作することで、遊技が進行することとなる。
【００１８】
当該構成において、複数段階の待機状態を有する監視手段が設けられており、外部電源からの電力供給の遮断中であっても開閉体が開閉操作された場合には、待機状態が当該操作前の状態から変更される。また、外部電源からの電力供給が遮断された場合における待機状態を記憶する記憶手段が設けられているとともに、外部電源からの電力供給が遮断された状況において記憶手段に電力を供給する電断時用電源手段が設けられている。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において開閉体が不正に開閉操作されていた場合には両待機状態が一致しない旨の比較結果となることで、遊技機において当該不正行為が行われたことを把握することが可能となり、当該不正行為に対処することが可能となる。
【００１９】
また、本構成においては、記憶手段では外部電源からの電力供給が遮断された場合における待機状態が記憶されるとともに、電力供給が遮断された状況においては電断時用電源手段から供給される電力により記憶手段にて待機状態が記憶保持される。遊技機において外部電源からの電力供給が遮断されるタイミングは不規則であり、監視手段がいずれの待機状態の場合に電力供給が遮断されるかは予め特定することはできない。この場合に、外部電源からの電力供給が遮断された場合における待機状態の一定化を図ろうとすると、例えば、監視手段の待機状態に初期待機状態を設定しておくとともに、外部電源からの電力供給が遮断された場合に監視手段の待機状態を初期待機状態に変更させる必要が生じる。そうすると、監視手段の構成が複雑化してしまう。これに対して、本手段における構成によれば、上記のような監視手段の構成の複雑化を招くことなく、上記優れた効果を得ることができる。
【００２０】
手段３．手段２において、前記外部電源からの電力供給が遮断される場合に、その場合の前記監視手段の待機状態を前記記憶手段に記憶させる電断時用記憶実行手段（ＣＰＵ３１１における電断時更新処理を行う機能）をさらに備えていることを特徴とする遊技機。
【００２１】
手段３によれば、外部電源からの電力供給が遮断される場合には、その場合の待機状態を記憶手段に記憶させる処理が実行される。これにより、電力供給が遮断された場合における待機状態を記憶手段に確実に記憶させることができる。
【００２２】
手段４．手段２又は３において、前記外部電源からの電力供給が行われている状況で、少なくとも前記監視手段の待機状態が変更された場合に、その変更された待機状態に前記記憶手段の記憶内容を更新する更新手段（ＣＰＵ３１１における通常時更新処理を行う機能）をさらに備えていることを特徴とする遊技機。
【００２３】
手段４によれば、監視手段の待機状態が変更されると、記憶手段の記憶内容がその変更された待機状態に更新される。遊技機において外部電源からの電力供給が遮断されるタイミングは不規則であり、監視手段がいずれの待機状態の場合に電力供給が遮断されるかは予め特定することはできない。この場合に、上記のように待機状態が変更された場合には記憶手段の記憶内容をその変更された待機状態に更新することで、外部電源からの電力供給がいずれのタイミングで遮断されたとしても、その遮断された場合における待機状態を記憶手段に記憶させておくことができる。
【００２４】
手段５．手段４において、前記監視手段から前記待機状態の情報を入力する入力手段（ＣＰＵ３１１の入力ポート）と、
当該入力手段にて入力した待機状態の情報を定期的に確認する定期確認手段（ＣＰＵ３１１における信号読み込み処理を行う機能）と、
をさらに備えており、
前記更新手段は、少なくとも前記定期確認手段により確認された待機状態が前記記憶手段に記憶されている待機状態と異なっている場合に、当該記憶手段の記憶内容を前記定期確認手段により確認された待機状態の情報に更新するものであることを特徴とする遊技機。
【００２５】
手段５によれば、監視手段の待機状態が定期的に確認され、少なくとも確認された待機状態が記憶手段に記憶されている待機状態と異なっている場合には、記憶手段の記憶内容がその確認された待機状態に更新される。これにより、上記手段４の作用効果を得ることができる。
【００２６】
手段６．手段１乃至５のいずれかにおいて、前記比較手段による比較結果が、前記記憶手段に記憶された待機状態と前記把握手段により把握された待機状態とが一致しない比較結果であった場合に、特定出力処理を実行する特定出力処理手段（ＣＰＵ３１１における報知処理を行う機能）をさらに備えていることを特徴とする遊技機。
【００２７】
手段６によれば、電力供給が遮断された場合における待機状態と、電力供給が開始された後に把握された待機状態とが一致しなかった場合には、特定出力処理が実行される。この特定出力処理として、例えば、遊技機に設置されたランプ、スピーカ又は表示画面を有する表示装置の少なくとも１つを駆動制御して報知を行わせるようにすることで、電力供給が遮断されている状況で開閉体が不正に開放操作されていたことを遊技機自身において報知することが可能となる。また、特定出力処理として、例えば、遊技ホールの管理装置（例えば、ホールコンピュータ）に異常信号を出力することで、上記不正行為が行われていたことを、管理装置を通じて遊技ホールの管理者等に報知することが可能となる。そして、これらの場合、遊技ホールの管理者等に対して、上記不正行為に対処するよう促すことが可能となる。
【００２８】
手段７．手段１乃至６のいずれかにおいて、前記外部電源からの電力供給が開始された場合に予め定められた開始時用処理を実行する開始時用処理手段（ＣＰＵ３１１におけるメイン処理を行う機能）をさらに備えており、
前記開始時用処理において、前記把握手段による前記待機状態の把握、及び前記比較手段による各待機状態の比較が行われることを特徴とする遊技機。
【００２９】
手段７によれば、外部電源からの電力供給が開始される場合には、その開始に際して、電力供給が遮断された場合における待機状態と、電力供給が開始された後に把握された待機状態との比較が行われる。これにより、電力供給が遮断されている状況において開閉体が不正に開放操作されていた場合には、電力供給の開始後に迅速に対処することが可能となる。
【００３０】
手段８．手段１乃至７のいずれかにおいて、前記監視手段は、閉鎖状態にある前記開閉体が開放操作されたことに基づいて前記待機状態が当該操作前の状態から変更され、開放状態にある前記開閉体が閉鎖操作されたとしても前記待機状態が変更されないものであることを特徴とする遊技機。
【００３１】
手段８によれば、開放状態にある開閉体が閉鎖操作されたとしても待機状態が変更されないため、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更されるため、外部電源からの電力供給が遮断された状況において、開閉体の不正な開閉操作を監視することは可能である。
【００３２】
手段９．手段１乃至８のいずれかにおいて、前記監視手段は、
前記支持対象に対して前記開閉体が閉鎖されている場合に押圧力が付与されて第１位置に待機し、前記支持対象に対して前記開閉体が開放された場合に前記押圧力の付与が解除されて前記第１位置から第２位置に移動する移動体（プッシャ２６６等）と、
予め設定された複数の待機位置に段階的に移動可能に設けられ、前記移動体が前記第１位置から前記第２位置に移動したこと又は前記第２位置から前記第１位置に移動したことの少なくとも一方に機械的に連動して、一の待機位置から次の待機位置に移動する連動体（円盤２６２等）と、
前記複数段階の待機状態として複数段階の検知状態が予め設定されており、前記連動体の待機位置に応じて前記検知状態が変更される検知手段（検知装置２５８）と、
を備えていることを特徴とする遊技機。
【００３３】
手段９によれば、監視手段が、開閉体の開閉動作に連動して第１位置と第２位置との間を移動する移動体と、当該移動体に連動して一の待機位置から次の待機位置に移動する連動体と、当該連動体の待機位置に応じて検知状態が変更される検知手段と、を備えていることにより、監視手段において外部電源からの電力供給が遮断された状況での開閉体の開閉操作の監視が可能となる。また、監視手段において遊技機の電源機能に対して独立した電源機能が必要なくなるため、遊技ホール等におけるランニングコストの増大化を抑制しつつ、上記手段１等の作用効果において説明した優れた効果を得ることができる。
【００３４】
なお、「機械的に連動」とは、電動アクチュエータが介在することなく連動することをいう。
【００３５】
手段１０．手段９において、前記連動体は、所定の回転軸を中心として回転可能であって前記複数の待機位置として複数の回転待機位置が設定された回転体であり、
当該回転体は、前記移動体が前記第１位置から前記第２位置に移動したこと又は前記第２位置から前記第１位置に移動したことの少なくとも一方に連動して、一の回転待機位置から次の回転待機位置に回転するものであり、
前記検知手段は、前記連動体の回転待機位置に応じて前記検知状態が変更されることを特徴とする遊技機。
【００３６】
手段１０によれば、連動体が回転体として設けられていることにより、連動体を非回転体として設ける構成に比して、移動体に連動した待機位置の変更が良好に行われる。
【００３７】
手段１１．手段１０において、前記移動体は前記回転軸の軸線上を移動するものであり、
当該移動体と前記回転体との間には、それら移動体及び回転体のそれぞれと当接することで、前記移動体が前記第１位置から前記第２位置に移動すること又は前記第２位置から前記第１位置に移動することの少なくとも一方に基づいて、前記回転体を一の前記回転待機位置から次の回転待機位置に回転させる介在体（回転子２６４等）をさらに備えていることを特徴とする遊技機。
【００３８】
手段１１によれば、移動体と回転体との間に介在体が設けられていることにより、移動体の直線的な動作を回転体の回転動作に変換する場合に、その変換を良好に行うことができる。
【００３９】
手段１２．手段１１において、前記介在体は、前記移動体が前記第２位置から前記第１位置に移動する場合よりも当該第１位置から前記第２位置に移動する場合の方が前記回転体の回転量が大きくなるように形成されており、
当該回転量の設定により、前記移動体が前記第２位置から前記第１位置に移動した場合には前記検知状態に変更はなく、前記移動体が前記第１位置から前記第２位置に移動した場合に前記検知状態が変更されることを特徴とする遊技機。
【００４０】
手段１２によれば、開放状態にある開閉体が閉鎖操作されたとしても待機状態が変更されない。したがって、遊技機のメンテナンス時などといった開閉体が開放状態である状況で外部電源からの電力供給が遮断されたとしても、その後の閉鎖操作により監視手段の待機状態が記憶手段に記憶された待機状態と異なるものとなってしまうことはない。これにより、上記のように電力供給の遮断中における開閉体の不正な開放操作を監視手段により監視するようにした構成において、遊技機のメンテナンス性の低下を極力抑制することが可能となる。一方、閉鎖状態にある開閉体が開放操作されたことに基づいて待機状態が操作前の状態から変更される。したがって、外部電源からの電力供給が遮断された状況において、開閉体の不正な開放操作を監視することは可能である。
【００４１】
手段１３．手段１１又は１２において、前記監視手段はケース体（ハウジング２５６）をさらに備えており、当該ケース体に前記移動体、前記介在体及び前記回転体が設置されており、
前記ケース体は前記回転軸と同一直線上に軸線を有する筒状領域（筒状領域２７１）を備えており、
当該筒状領域の内周面には前記軸線方向に延びる溝部（ケース側カム溝２７８）が当該軸線を中心として等間隔で複数形成されており、
前記移動体及び前記介在体は移動体側突起（突起２６６ｃ）及び介在体側突起（回転子側リブ２８５）が前記溝部にガイドされて前記軸線方向に移動可能であるとともに、それら前記移動体及び前記介在体は付勢手段（第１バネ２６３）により前記第２位置に向けて付勢されており、
前記移動体における前記介在体側の端部には移動体側噛合せ部（プッシャ側カム部２９０）が形成されているとともに、前記介在体における前記移動体側の端部には前記移動体側噛合せ部と噛み合い可能な介在体側噛合せ部（回転子側カム部２８９）が形成されており、
前記移動体が前記第２位置にある場合、前記移動体側噛合せ部と前記介在体側噛合せ部とは非噛み合い状態にあり、
前記移動体が前記第１位置に移動する場合、前記介在体は、前記介在体側突起が前記溝部から外れ、前記移動体側噛合せ部と前記介在体側噛合せ部とが噛み合い状態となる位置に前記軸線方向を中心として特定方向に回転し、
その噛み合い状態で前記移動体が前記第２位置に復帰する場合、前記介在体は、前記介在体側突起が前記筒状領域の内周面における前記溝部間のリブ（ケース側リブ２７７）によりガイドされて、当該介在体側突起が前記溝部にガイドされる位置であって前記移動体側噛合せ部と前記介在体側噛合せ部とが非噛み合い状態となる位置に前記軸線方向を中心として前記特定方向に回転し、
前記回転体は、前記介在体の回転動作に連動して、一の前記回転待機位置から次の回転待機位置に回転することを特徴とする遊技機。
【００４２】
手段１３によれば、移動体の移動に連動した回転体の回転待機位置の変更が良好に行われる。
【００４３】
手段１４．手段９乃至１３のいずれかにおいて、前記連動体は、前記各待機位置に対応させて複数の被検知部（被検知部２９８ａ）を備えており、
前記検知手段は、前記被検知部を検知する検知部（金属端子２９４）を複数備えているとともに、前記被検知部を検知している検知部の組合せにより前記検知状態が変更されるものであることを特徴とする遊技機。
【００４４】
手段１４によれば、検知手段では、連動体の被検知部を検知している検知部の組合せにより検知状態が変更される構成であるため、検知部の数を待機位置の数よりも少なくすることが可能となる。これにより、検知手段の小型化を図ることができ、それに伴って監視手段の小型化を図ることができる。
【００４５】
手段１５．手段９乃至１４のいずれかにおいて、前記検知手段は、複数の金属端子を備えており、
それら金属端子は、前記連動体に形成された被検知部と接触することで、それら被検知部と接触している金属端子同士が前記連動体を介して電気的に導通されるものであり、
前記連動体を介して電気的に導通される前記金属端子の組合せが前記各検知状態と１対１で対応して異なるように、前記金属端子及び前記被検知部が設置されていることを特徴とする遊技機。
【００４６】
手段１５によれば、検知手段では、電気的に導通する金属端子の組合せにより検知状態が変更される構成であるため、フォトセンサなどを設ける構成に比して、構成の簡素化を図ることができる。
【００４７】
手段１６．手段９乃至１５のいずれかにおいて、前記監視手段は、前記支持対象に設置されており、
前記移動体は、前記支持対象に対して前記開閉体が閉鎖されている場合には、前記開閉体により押圧されて又は前記開閉体と前記移動体との間に設置された押圧手段により押圧されて前記第１位置に待機し、前記支持対象に対して前記開閉体が開放された場合には、前記押圧が解除されて前記第１位置から前記第２位置に移動するものであることを特徴とする遊技機。
【００４８】
手段１６によれば、移動体は開閉体の開閉動作に連動して、第１位置と第２位置との間を移動する。
【００４９】
手段１７．手段９乃至１５のいずれかにおいて、前記監視手段は、前記開閉体に設置されており、
前記移動体は、前記支持対象に対して前記開閉体が閉鎖されている場合には、前記支持対象により押圧されて又は前記支持対象と前記移動体との間に設置された押圧手段（押圧片３００）により押圧されて前記第１位置に待機し、前記支持対象に対して前記開閉体が開放された場合には、前記押圧が解除されて前記第１位置から前記第２位置に移動するものであることを特徴とする遊技機。
【００５０】
手段１７によれば、移動体は開閉体の開閉動作に連動して、第１位置と第２位置との間を移動する。
【００５１】
手段１８．手段１乃至１７のいずれかにおいて、前記監視手段がいずれの待機状態にあるかが、前記監視手段の外観上、識別不可となっていることを特徴とする遊技機。
【００５２】
手段１８によれば、監視手段がいずれの待機状態にあるかが、監視手段の外観上、識別不可となっているため、不正行為者などに監視手段の待機状態がいずれであるかが知られてしまうことが防止できる。
【００５３】
手段１９．手段１乃至１８のいずれかにおいて、前記監視手段はさらに、前記外部電源からの電力供給が行われている状況において、前記開閉体が前記支持対象に対して開放されていることを検知するものであることを特徴とする遊技機。
【００５４】
手段１９によれば、外部電源からの電力供給が行われている状況において開閉体が開放された場合には、それが監視手段にて検知される。つまり、監視手段は、外部電源からの電力供給が遮断されている状況及び電力供給が行われている状況のいずれにおいても、開閉体の開放を監視する機能を有することとなり、それぞれの機能を別で設ける構成に比して、遊技機の部品点数の削減が図られる。
【００５５】
手段２０．外部電源から供給される電力に基づいて動作する電気機器（可変入賞装置８３、主制御装置１６２、払出装置２２４、払出制御装置２４２等）が搭載された遊技機本体（本体枠１３）と、当該遊技機本体に対して開閉可能に支持され遊技機前面部を構成する遊技機前面体（前扉枠１４）と、を備えた遊技機において、
複数段階の待機状態が予め設定されているとともに、前記外部電源からの電力供給の少なくとも遮断中において、前記遊技機前面体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００５６】
手段２０によれば、外部電源からの供給電力に基づいて電気機器が動作することで、遊技が進行することとなる。
【００５７】
当該構成において、複数段階の待機状態を有する監視手段が設けられており、外部電源からの電力供給の遮断中に遊技機前面体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機前面体が不正に開閉操作されていた場合には両待機状態が一致しない旨の比較結果となることで、遊技機において当該不正行為が行われたことを把握することが可能となり、当該不正行為に対処することが可能となる。
【００５８】
なお、上記手段２０の構成を手段２に対応した構成に変更してもよく、さらには上記手段２０に対して上記手段３乃至１９のいずれかの構成を適用してもよい。この場合、上記手段２０に関わる発明は、より効果的なものとなる。但し、手段２に対応した構成に変更する場合及び手段３乃至１９のいずれかの構成を適用する場合、「支持対象」を「遊技機本体」に代えるとともに、「開閉体」を「遊技機前面体」に代えて適用する。
【００５９】
手段２１．支持対象（外枠１１）に対して開閉可能に支持され、外部電源から供給される電力に基づいて動作する電気機器（可変入賞装置８３、主制御装置１６２、払出装置２２４、払出制御装置２４２等）が搭載された遊技機主体（遊技機主部１２）を備えた遊技機において、
複数段階の待機状態が予め設定されているとともに、前記外部電源からの電力供給の少なくとも遮断中において、前記開閉体が開閉操作された場合、前記待機状態が当該開閉操作前の状態から変更される監視手段（監視装置２５０）と、
前記外部電源からの電力供給が遮断された場合における前記監視手段の待機状態を記憶する記憶手段（ＲＡＭ３１３の第１検知状態格納エリア３１３ａ，第２検知状態格納エリア３１３ｂ）と、
前記監視手段の待機状態を把握する把握手段（ＣＰＵ３１１における検知状態把握処理を行う機能）と、
前記外部電源からの電力供給が開始された場合に前記記憶手段に記憶された待機状態と前記把握手段により把握された待機状態とを比較する比較手段（ＣＰＵ３１１におけるステップＳ３０８の比較処理を行う機能）と、
を備えていることを特徴とする遊技機。
【００６０】
手段２１によれば、外部電源からの供給電力に基づいて電気機器が動作することで、遊技が進行することとなる。
【００６１】
当該構成において、複数段階の待機状態を有する監視手段が設けられており、外部電源からの電力供給の遮断中に遊技機主体が開閉操作された場合には、待機状態が当該操作前の状態から変更される。そして、電力供給が遮断された状態から電力供給が開始された場合には、電力供給が遮断された場合における待機状態と、電力供給が開始された後に把握された待機状態とが比較される。これにより、例えば、電力供給が遮断されている状況において遊技機主体が不正に開閉操作されていた場合には両待機状態が一致しない旨の比較結果となることで、遊技機において当該不正行為が行われたことを把握することが可能となり、当該不正行為に対処することが可能となる。
【００６２】
なお、上記手段２１の構成を手段２に対応した構成に変更してもよく、さらには上記手段２１に対して上記手段３乃至１９のいずれかの構成を適用してもよい。この場合、上記手段２１に関わる発明は、より効果的なものとなる。但し、手段２に対応した構成に変更する場合及び手段３乃至１９のいずれかの構成を適用する場合、「開閉体」を「遊技機主体」に代えて適用する。
【００６３】
以下に、以上の各手段を適用し得る各種遊技機の基本構成を示す。
【００６４】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域に導く球通路（内，外レール部１０１，１０２）と、遊技領域内に配置された各遊技部品とを備え、それら各遊技部品のうち所定の入球部（各種スイッチ１５２〜１５５）に遊技球が入球した場合に遊技者に特典を付与する遊技機。
【００６５】
スロットマシン等の回胴式遊技機：複数の絵柄を可変表示させる絵柄表示装置を備え、始動操作手段の操作に基づいて前記複数の絵柄の可変表示が開始され、停止操作手段の操作に基づいて前記複数の絵柄の可変表示が停止され、その停止後の絵柄に応じて遊技者に特典を付与する遊技機。
【００６６】
（第１の実施形態）
以下、遊技機の一種であるパチンコ遊技機（以下、「パチンコ機」という）の第１の実施形態を、図面に基づいて詳細に説明する。図１はパチンコ機１０の正面図、図２及び図３はパチンコ機１０の主要な構成を展開して示す斜視図、図４はパチンコ機１０の背面図である。なお、図２では便宜上パチンコ機１０の遊技領域内の構成を省略している。
【００６７】
パチンコ機１０は、当該パチンコ機１０の外殻を形成する外枠１１と、この外枠１１に対して前方に回動可能（開閉可能）に取り付けられた遊技機主部１２とを有する。外枠１１は木製の板材を四辺に連結し構成されるものであって矩形枠状をなしている。パチンコ機１０は、外枠１１を島設備に取り付け固定することにより、遊技ホールに設置される。
【００６８】
遊技機主部１２は、ベース体としての本体枠１３と、その本体枠１３の前方に配置される前扉枠１４と、本体枠１３の後方に配置される裏パックユニット１５とを備えている。遊技機主部１２のうち本体枠１３が外枠１１に対して回動可能（開閉可能）に支持されている。詳細には、正面視で左側を回動基端側（開閉基端側）とし右側を回動先端側（開閉先端側）として本体枠１３が前方へ回動可能とされている。
【００６９】
本体枠１３には、図２に示すように、前扉枠１４が回動可能（開閉可能）に支持されており、正面視で左側を回動基端側（開閉基端側）とし右側を回動先端側（開閉先端側）として前方へ回動可能とされている。また、本体枠１３には、図３に示すように、裏パックユニット１５が回動可能（開閉可能）に支持されており、正面視で左側を回動基端側（開閉基端側）とし右側を回動先端側（開閉先端側）として後方へ回動可能とされている。
【００７０】
次に、前扉枠１４について説明する。なお、以下の説明では、図１〜図３を参照するとともに、前扉枠１４の背面の構成については図５を参照する。図５は、前扉枠１４の背面図である。
【００７１】
前扉枠１４は本体枠１３の前面側全体を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。なお、ガラス２２に代えて、透明樹脂板を嵌め込むようにしてもよい。
【００７２】
窓部２１の周囲には、各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、さらにその左右側方には賞球払出中に点灯する賞球ランプ部２５が設けられている。また、左右の賞球ランプ部２５に近接した位置には、遊技状態に応じた効果音などが出力されるスピーカ部２６が設けられている。
【００７３】
前扉枠１４における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００７４】
下側膨出部３２の右方には、手前側へ突出するようにして遊技球発射ハンドル４１が設けられている。遊技球発射ハンドル４１が操作されることにより、後述する遊技球発射機構から遊技球が発射される。
【００７５】
前扉枠１４の背面には、図２及び図５に示すように、通路形成ユニット５０が取り付けられている。通路形成ユニット５０は、合成樹脂により形成されており、上皿３３に通じる前扉側上皿通路５１と、下皿３４に通じる前扉側下皿通路５２とが形成されている。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿３３に導かれ、前扉側下皿通路５２に入った遊技球は下皿３４に導かれる。
【００７６】
前扉枠１４の背面における回動基端側（図５の右側）には、その上端部及び下端部に突起軸６１，６２が設けられている。これら突起軸６１，６２は本体枠１３に対する組付機構を構成する。また、前扉枠１４の背面における回動先端側（図５の左側）には、図２に示すように、後方に延びる鉤金具６３が上下方向に複数並設されている。これら鉤金具６３は本体枠１３に対する施錠機構を構成する。
【００７７】
次に、本体枠１３について詳細に説明する。図６は本体枠１３の正面図である。
【００７８】
本体枠１３は、外形が外枠１１とほぼ同一形状をなす樹脂ベース７１を主体に構成されている。樹脂ベース７１の前面における回動基端側（図６の左側）には、その上端部及び下端部に支持金具７２，７３が取り付けられている。図示は省略するが、支持金具７２，７３には軸孔が形成されており、それら軸孔に前扉枠１４の突起軸６１，６２が挿入されることにより、本体枠１３に対して前扉枠１４が回動可能に支持されている。
【００７９】
樹脂ベース７１の前面における回動先端側（図６の右側）には、前扉枠１４の背面に設けられた鉤金具６３を挿入するための挿入孔７４がそれぞれ設けられている。本パチンコ機１０では、本体枠１３や前扉枠１４を施錠状態とするための施錠装置が本体枠１３の背面側に隠れて配置される構成となっている。したがって、鉤金具６３が挿入孔７４を介して施錠装置に係止されることによって、前扉枠１４が本体枠１３に対して開放不能に施錠される。
【００８０】
樹脂ベース７１の右下隅部には、施錠装置の解錠操作を行うためのシリンダ錠７５が設置されている。シリンダ錠７５は施錠装置に一体化されており、シリンダ錠７５の鍵穴に差し込んだキーを右に回すと本体枠１３に対する前扉枠１４の施錠が解かれるようになっている。なお、シリンダ錠７５の鍵穴に差し込んだキーを左に回すと外枠１１に対する本体枠１３の施錠が解かれるようになっている。
【００８１】
樹脂ベース７１の上部には、図２及び図６に示すように、前扉枠１４が開放されているか否か（又は閉鎖されているか否か）を検知する前扉枠開閉検知装置としての前扉枠開放センサ（前扉枠開放スイッチ）７８が設けられている。前扉枠開放センサ７８は、樹脂ベース７１の前面から出没可能なピンを有しており、本体枠１３に対して前扉枠１４を閉じた状態ではピンが押し込まれて前扉枠１４の閉鎖が検知され、本体枠１３に対して前扉枠１４を開いた状態ではピンが突出位置に戻って前扉枠１４の開放が検知されるようになっている。
【００８２】
樹脂ベース７１の中央部には略楕円形状の窓孔７６が形成されている。樹脂ベース７１には遊技盤８１が着脱可能に取り付けられている。遊技盤８１は合板よりなり、遊技盤８１の前面に形成された遊技領域が樹脂ベース７１の窓孔７６を通じて本体枠１３の前面側に露出した状態となっている。
【００８３】
ここで、遊技盤８１の構成を図７に基づいて説明する。遊技盤８１には、ルータ加工が施されることによって前後方向に貫通する大小複数の開口部が形成されている。各開口部には一般入賞口８２，可変入賞装置８３，作動口８４，スルーゲート８５及び可変表示ユニット８６等がそれぞれ設けられている。一般入賞口８２は、左右にそれぞれ２個ずつ合計４個設けられている。一般入賞口８２、可変入賞装置８３及び作動口８４に遊技球が入ると、それが後述する検知スイッチにより検知され、その検知結果に基づいて所定数の賞球の払い出しが実行される。その他に、遊技盤８１の最下部にはアウト口８７が設けられており、各種入賞口等に入らなかった遊技球はアウト口８７を通って遊技領域から排出される。また、遊技盤８１には、遊技球の落下方向を適宜分散、調整等するために多数の釘８８が植設されていると共に、風車等の各種部材（役物）が配設されている。
【００８４】
可変表示ユニット８６には、作動口８４への入賞をトリガとして図柄を可変表示する図柄表示装置９１が設けられている。また、可変表示ユニット８６には、図柄表示装置９１を囲むようにしてセンターフレーム９２が配設されている。センターフレーム９２の上部には、第１特定ランプ部９３及び第２特定ランプ部９４が設けられている。また、センターフレーム９２の上部及び下部にはそれぞれ保留ランプ部９５，９６が設けられている。下側の保留ランプ部９５は、図柄表示装置９１及び第１特定ランプ部９３に対応しており、遊技球が作動口８４を通過した回数は最大４回まで保留され保留ランプ部９５の点灯によってその保留個数が表示されるようになっている。上側の保留ランプ部９６は、第２特定ランプ部９４に対応しており、遊技球がスルーゲート８５を通過した回数は最大４回まで保留され保留ランプ部９６の点灯によってその保留個数が表示されるようになっている。
【００８５】
図柄表示装置９１は、液晶ディスプレイを備えた液晶表示装置として構成されており、後述する表示制御装置により表示内容が制御される。図柄表示装置９１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００８６】
第１特定ランプ部９３では、作動口８４への入賞をトリガとして所定の順序で発光色の切り替えが行われ、予め定められた色で停止表示された場合には大当たりが発生する。また、第２特定ランプ部９４では、遊技球のスルーゲート８５の通過をトリガとして所定の順序で発光色の切り替えが行われ、予め定められた色で停止表示された場合には作動口８４に付随する電動役物が所定時間だけ開放状態となる。
【００８７】
可変入賞装置８３は、通常は遊技球が入賞できない又は入賞し難い閉状態になっており、大当たりの際に遊技球が入賞しやすい所定の開放状態に切り換えられるようになっている。可変入賞装置８３の開放態様としては、所定時間（例えば３０秒間）の経過又は所定個数（例えば１０個）の入賞を１ラウンドとして、複数ラウンド（例えば１５ラウンド）を上限として可変入賞装置８３が繰り返し開放されるものが一般的である。
【００８８】
遊技盤８１には、内レール部１０１と外レール部１０２とが取り付けられており、これら内レール部１０１と外レール部１０２とにより誘導レールが構成され、後述する遊技球発射機構から発射された遊技球が遊技領域の上部に案内されるようになっている。
【００８９】
遊技球発射機構１１０は、図６に示すように、樹脂ベース７１における窓孔７６の下方に取り付けられている。遊技球発射機構１１０は、電磁式のソレノイド１１１と、発射レール１１２と、球送り機構１１３とからなり、ソレノイド１１１への電気的な信号の入力により当該ソレノイド１１１の出力軸が伸縮方向に移動し、球送り機構１１３によって発射レール１１２上に置かれた遊技球を遊技領域に向けて打ち出す。
【００９０】
発射レール１１２と遊技盤８１に取り付けられた内，外レール部１０１，１０２との間には所定間隔の隙間があり、この隙間より下方には前扉枠１４の通路形成ユニット５０に形成されたファール球通路５５が配設されている。したがって、仮に遊技球発射機構１１０から発射された遊技球が遊技領域の上部に到達せずに、内，外レール部１０１，１０２によって構成される誘導レールを逆戻りする場合には、そのファール球がファール球通路５５内に入る。ファール球通路５５は前扉側下皿通路５２に通じており、ファール球通路５５に入った遊技球は下皿３４に排出される。
【００９１】
樹脂ベース７１において発射レール１１２の左方には、樹脂ベース７１を前後方向に貫通させて通路形成部１２１が設けられている。通路形成部１２１には図３に示すように本体側上皿通路１２２と本体側下皿通路１２３とが形成されている。本体側上皿通路１２２及び本体側下皿通路１２３の上流側は、後述する遊技球分配部に通じている。また、通路形成部１２１の下方には前扉枠１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている。
【００９２】
樹脂ベース７１において通路形成部１２１の下方には、本体側上皿通路１２２及び本体側下皿通路１２３を開閉する開閉部材１２４が取り付けられている。開閉部材１２４はその下端に設けられた支軸１２５により前後方向に回動可能に支持されており、さらに本体側上皿通路１２２及び本体側下皿通路１２３を閉鎖する前方位置に付勢する図示しない付勢部材が設けられている。したがって、前扉枠１４を本体枠１３に対して開いた状態では開閉部材１２４が図示の如く起き上がり、本体側上皿通路１２２及び本体側下皿通路１２３を閉鎖する。これにより、本体側上皿通路１２２又は本体側下皿通路１２３に遊技球が貯留されている状態で前扉枠１４を開放した場合、その貯留球がこぼれ落ちてしまうといった不都合が防止できる。これに対し、前扉枠１４を閉じた状態では、前扉枠１４の通路形成ユニット５０に設けられた受口部５３により付勢力に抗して開閉部材１２４が押し開けられる。この状態では、本体側上皿通路１２２と前扉側上皿通路５１とが連通し、さらに本体側下皿通路１２３と前扉側下皿通路５２とが連通している。
【００９３】
次に、本体枠１３の背面構成について説明する。図８は本体枠１３の背面図である。
【００９４】
樹脂ベース７１の背面における回動先端側（図８の左側）には、施錠装置１３１が設けられており、シリンダ錠７５におけるキー操作に対して施錠装置１３１が連動し、本体枠１３及び前扉枠１４の解錠が行われる。
【００９５】
樹脂ベース７１の背面における回動基端側（図８の右側）には、軸受け金具１３２が取り付けられている。軸受け金具１３２には、上下に離間させて軸受け部１３３が形成されており、これら軸受け部１３３により本体枠１３に対して裏パックユニット１５が回動可能に取り付けられている。また、樹脂ベース７１の背面には、裏パックユニット１５を本体枠１３に締結するための被締結孔１３４が設けられている。
【００９６】
樹脂ベース７１の背面には、係止金具１３５が複数設けられており、これら係止金具１３５によって上述したように樹脂ベース７１に対して遊技盤８１が取り付けられている。ここで、遊技盤８１の背面の構成を説明する。図９は遊技盤８１を後方より見た斜視図、図１０は遊技盤８１から主制御装置ユニット１６０を取り外した状態を示す背面図である。
【００９７】
遊技盤８１の中央に配置される可変表示ユニット８６には、センターフレーム９２を背後から覆う合成樹脂製のフレームカバー１４１が後方に突出させて設けられており、フレームカバー１４１に対して後側から上述した図柄表示装置９１が取り付けられるとともに、その図柄表示装置を駆動するための表示制御装置が取り付けられている（図示は省略）。これら図柄表示装置９１及び表示制御装置は前後方向に重ねて配置され（図柄表示装置が前、表示制御装置が後）、さらにその後方に音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００９８】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００９９】
遊技盤８１の背面には、図１０に示すように、可変表示ユニット８６の下方に集合板ユニット１５０が設けられている。集合板ユニット１５０には、各種入賞口に入賞した遊技球を回収するための遊技球回収機構や、各種入賞口等への遊技球の入賞を検知するための入賞検知機構などが設けられている。
【０１００】
遊技球回収機構について説明すると、集合板ユニット１５０には、前記一般入賞口８２、可変入賞装置８３、作動口８４の遊技盤開口部に対応して且つ下流側で１カ所に集合する回収通路１５１が形成されている。したがって、一般入賞口８２等に入賞した遊技球は何れも回収通路１５１を介して遊技盤８１の下方に集合する。遊技盤８１の下方には後述する排出通路があり、回収通路１５１により遊技盤８１の下方に集合した遊技球は排出通路内に導出される。なお、アウト口８７も同様に排出通路に通じており、何れの入賞口にも入賞しなかった遊技球もアウト口８７を介して排出通路内に導出される。
【０１０１】
入賞検知機構について説明すると、集合板ユニット１５０には、遊技盤８１表側の各一般入賞口８２と対応する位置にそれぞれ入賞口スイッチ１５２ａ〜１５２ｄが設けられている。また、可変入賞装置８３と対応する位置にカウントスイッチ１５３が設けられ、作動口８４に対応する位置に作動口スイッチ１５４が設けられている。これらスイッチ１５２〜１５４により遊技球の入賞がそれぞれ検知される。また、集合板ユニット１５０外における可変表示ユニット８６の右側には、スルーゲート８５を通過する遊技球を検知するゲートスイッチ１５５が設けられている。
【０１０２】
遊技盤８１の背面には、集合板ユニット１５０を後側から覆うようにして主制御装置ユニット１６０が搭載されている。主制御装置ユニット１６０の構成について図１１を用いて説明する。図１１は主制御装置ユニット１６０の構成を示す斜視図である。
【０１０３】
主制御装置ユニット１６０は、合成樹脂製の取付台１６１を有し、取付台１６１に主制御装置１６２が搭載されている。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【０１０４】
基板ボックス１６３は、略直方体形状のボックスベース（表ケース体）とこのボックスベースの開口部を覆うボックスカバー（裏ケース体）とを備えている。これらボックスベースとボックスカバーとは封印手段としての封印部１６４によって開封不能に連結され、これにより基板ボックス１６３が封印されている。封印部１６４は、基板ボックス１６３の長辺部に５つ設けられ、そのうち少なくとも一つが用いられて封印処理が行われる。
【０１０５】
封印部１６４はボックスベースとボックスカバーとを開封不能に結合する構成であれば任意の構成が適用できるが、封印部１６４を構成する長孔に係止爪を挿入することでボックスベースとボックスカバーとが開封不能に結合されるようになっている。封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部１６４のうち、少なくとも一つの長孔に係止爪を挿入することにより封印処理が行われる。そして、収容した主制御基板の不具合発生の際や主制御基板の検査の際など基板ボックス１６３を開封する場合には、係止爪が挿入された封印部と他の封印部との連結部分を切断する。これにより、基板ボックス１６３のボックスベースとボックスカバーとが分離され、内部の主制御基板を取り出すことができる。その後、再度封印処理する場合は他の封印部の長孔に係止爪を挿入する。基板ボックス１６３の開封を行った旨の履歴を当該基板ボックス１６３に残しておけば、基板ボックス１６３を見ることで不正な開封が行われた旨が容易に発見できる。
【０１０６】
基板ボックス１６３の一方の短辺部には、その側方に突出するようにして複数の結合片１６５が設けられている。これら結合片１６５は、取付台１６１に形成された複数の被結合片１６６と１対１で対応しており、結合片１６５と被結合片１６６とにより基板ボックス１６３と取付台１６１との間で封印処理が行われる。
【０１０７】
次に、裏パックユニット１５について説明する。図１２は裏パックユニット１５の正面図、図１３は裏パックユニット１５の分解斜視図である。
【０１０８】
裏パックユニット１５は、裏パック２０１を備えており、当該裏パック２０１に対して、払出機構部２０２、排出通路盤２０３、及び制御装置集合ユニット２０４が取り付けられている。裏パック２０１は透明性を有する合成樹脂により成形されており、払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８６を囲むのに十分な大きさを有する。
【０１０９】
ベース部２１１には、その右上部に外部端子板２１３が設けられている。外部端子板２１３には、パチンコ機１０に発生した各種のエラー情報を出力するための出力端子、本体枠１３の開放時に信号出力するための出力端子、及び前扉枠１４の開放時に信号出力するための出力端子等が設けられている。そして、これらの出力端子を通じて、遊技ホール側の管理制御装置（又はホールコンピュータ）に対して枠側の状態に関する信号が出力される。
【０１１０】
ベース部２１１には、外部端子板２１３よりも外側に、本体枠１３が開放されているか否か（又は閉鎖されているか否か）を検知する本体枠開閉検知装置としての本体枠開放センサ（本体枠開放スイッチ）２３０が設けられている。外枠１１に対して本体枠１３を閉じた状態では当該センサ２３０の金属接点が閉じて本体枠１３の閉鎖が検知され、外枠１１に対して本体枠１３を開いた状態では金属接点が開いて本体枠１３の開放が検知されるようになっている。
【０１１１】
また、ベース部２１１にはパチンコ機１０後方からみて右端部に上下一対の掛止ピン２１４が設けられており、掛止ピン２１４を本体枠１３に設けられた前記軸受け部１３３に挿通させることで、裏パックユニット１５が本体枠１３に対して回動可能に支持されている。また、ベース部２１１には、本体枠１３に設けられた被締結孔１３４に対して締結するための締結具２１５が設けられており、当該締結具２１５を被締結孔１３４に嵌め込むことで本体枠１３に対して裏パックユニット１５が固定されている。
【０１１２】
ベース部２１１には、保護カバー部２１２を迂回するようにして払出機構部２０２が配設されている。すなわち、裏パック２０１の最上部には上方に開口したタンク２２１が設けられており、タンク２２１には遊技ホールの島設備から供給される遊技球が逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【０１１３】
遊技球分配部２２５は、払出装置２２４より払い出された遊技球を上皿３３、下皿３４又は後述する排出通路の何れかに振り分けるための機能を有し、内側の開口部２２６が上述した本体側上皿通路１２２及び前扉側上皿通路５１を介して上皿３３に通じ、中央の開口部２２７が本体側下皿通路１２３及び前扉側下皿通路５２を介して下皿３４に通じ、外側の開口部２２８が排出通路に通じるように形成されている。
【０１１４】
払出機構部２０２には、裏パック基板（電力受入部又は外部電力受入部）２２９が設置されている。裏パック基板２２９には、例えば交流２４ボルトの主電源が供給され、電源スイッチ２２９ａの切替操作により電源ＯＮ又は電源ＯＦＦとされるようになっている。
【０１１５】
ベース部２１１の下端部には、当該下端部を前後に挟むようにして排出通路盤２０３及び制御装置集合ユニット２０４が取り付けられている。排出通路盤２０３は、制御装置集合ユニット２０４と対向する面に後方に開放された排出通路２３１が形成されており、当該排出通路２３１の開放部は制御装置集合ユニット２０４によって塞がれている。排出通路２３１は、遊技ホールの島設備等へ遊技球を排出するように形成されており、上述した回収通路１５１等から排出通路２３１に導出された遊技球は当該排出通路２３１を通ることでパチンコ機１０外部に排出される。
【０１１６】
制御装置集合ユニット２０４は、横長形状をなす取付台２４１を有し、取付台２４１に払出制御装置２４２と電源及び発射制御装置２４３とが搭載されている。これら払出制御装置２４２と電源及び発射制御装置２４３とは、払出制御装置２４２がパチンコ機１０後方となるように前後に重ねて配置されている。
【０１１７】
払出制御装置２４２は、基板ボックス２４４内に払出装置２２４を制御する払出制御基板が収容されている。なお、払出制御装置２４２から払出装置２２４への払出指令の信号は上述した裏パック基板２２９により中継される。また、払出制御装置２４２には状態復帰スイッチ２４５が設けられている。例えば、払出装置２２４における球詰まり等、払出エラーの発生時において状態復帰スイッチ２４５が押されると、球詰まりの解消が図られるようになっている。
【０１１８】
電源及び発射制御装置２４３は、基板ボックス２４６内に電源及び発射制御基板が収容されており、当該基板により、各種制御装置等で要する所定の電力が生成されて出力され、さらに遊技者による遊技球発射ハンドル４１の操作に伴う遊技球の打ち出しの制御が行われる。また、電源及び発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【０１１９】
次に、パチンコ機１０の電源が遮断されている状態で本体枠１３や前扉枠１４が開放された場合に、その事実を把握するための構成について説明する。
【０１２０】
図６及び図１４に示すように、本体枠１３の樹脂ベース７１には、第１監視装置２５１が設けられている。また、図１５に示すように、裏パックユニット１５には、第２監視装置２５２が設けられている。第１監視装置２５１により、電源遮断状態での前扉枠１４の開放が監視され、第２監視装置２５２により、電源遮断状態での遊技機主部１２の開放が監視される。
【０１２１】
ここで、第１監視装置２５１及び第２監視装置２５２の具体的な構成について説明する。なお、第１監視装置２５１及び第２監視装置２５２は共に同一の構成を具備してなるため、これら両監視装置２５１，２５２の説明を監視装置２５０としてまとめて行う。図１６は監視装置２５０の斜視図、図１７は監視装置２５０の分解斜視図、図１８は監視装置２５０の断面図である。
【０１２２】
監視装置２５０は、有色不透明の合成樹脂材料によりそれぞれ形成された土台用ケース体２５４と蓋用ケース体２５５とを備えており、これら両ケース体２５４，２５５がネジ固定されていることによりハウジング２５６が形成されている。なお、蓋用ケース体２５５及び土台用ケース体２５４のうちいずれか一方又は両方を、無色透明の合成樹脂材料により形成してもよく、また合成樹脂材料ではなく金属材料により形成してもよい。
【０１２３】
ハウジング２５６内には、本体枠１３や前扉枠１４といった監視対象物の移動に応じて機械的に動作し、その動作により待機位置が変更される機械的動作機構２５７と、当該機械的動作機構２５７の待機位置を検知するとともにその検知結果を主制御装置１６２に出力するための検知装置２５８とが設置されている。なお、両ケース体２５４，２５５のうち、蓋用ケース体２５５の側面には一対の固定用フランジ２５９が一体形成されており、これら固定用フランジ２５９を介して、監視装置２５０は設置対象にネジ固定（着脱自在に固定）されている。
【０１２４】
機械的動作機構２５７について詳細に説明する。なお、機械的動作機構２５７の説明では、図１６〜図１８に加え、図１９を参照する。図１９は、機械的動作機構２５７の主要構成部品の側面図である。
【０１２５】
機械的動作機構２５７は、回転軸体２６１と、連動体としての円盤２６２と、第１付勢手段としての第１バネ２６３と、リンク体としての回転子２６４と、第２付勢手段としての第２バネ２６５と、移動体としてのプッシャ（押下体又は押圧体）２６６と、を備えている。なお、図１９においては、第１バネ２６３及び第２バネ２６５を省略して示す。
【０１２６】
回転軸体２６１は、土台用ケース体２５４上において円盤２６２を回転可能に保持するためのものである。具体的には、回転軸体２６１は、合成樹脂材料により形成されており、図１９等に示すように、円柱状をなす基部２６１ａと、当該基部２６１ａの一端面から起立させて形成され角柱状をなす軸部２６１ｂとを備えている。軸部２６１ｂは基部２６１ａよりもその周縁が一回り小さく形成されており、基部２６１ａと軸部２６１ｂとの境界部分には段差面２６１ｃが存在している。なお、回転軸体２６１は、その内部が空洞となっており、基部２６１ａの先端部にて開放されているが、非空洞形状としてもよい。
【０１２７】
回転軸体２６１に対して円盤２６２が組み付けられて両者が一体化されている。詳細には、円盤２６２の中央には、図１７に示すように、角形（具体的には、四角形状）の貫通孔２６２ａが形成されており、当該貫通孔２６２ａに対して回転軸体２６１の軸部２６１ｂが嵌合されている。この場合、軸部２６１ｂの高さ寸法は円盤２６２の厚み寸法よりも大きくなっており、さらに円盤２６２の裏面は回転軸体２６１の上記段差面２６１ｃに当接している。したがって、図１８に示すように、軸部２６１ｂは円盤２６２の表面よりも軸線方向の外方に突出している（以下、突出部２６１ｄともいう）。なお、回転軸体２６１と円盤２６２とは別体である必要はなく、両者が一体形成されていてもよい。
【０１２８】
円盤２６２が一体化された回転軸体２６１は、基部２６１ａにおける段差面２６１ｃとは反対側の端部が土台用ケース体２５４の内側の板面上に載るようにして、土台用ケース体２５４上に載置されている。この場合、土台用ケース体２５４には内側の板面から起立させて円形囲い枠２５４ａが一体形成されており、当該円形囲い枠２５４ａにより区画された領域内に基部２６１ａが載置されている。この円形囲い枠２５４ａにより内側の板面上に沿った回転軸体２６１（及び円盤２６２）の移動が規制されている。
【０１２９】
円盤２６２が一体化された回転軸体２６１が土台用ケース体２５４上に載置された状態において、当該回転軸体２６１の軸部２６１ｂの突出部２６１ｄは、図１８に示すように、蓋用ケース体２５５の筒状領域２７１内に入り込んでいる。
【０１３０】
詳細には、蓋用ケース体２５５には、円盤２６２の回転軸線と軸線が同一線上に位置するようにして筒状領域２７１が一体形成されている。筒状領域２７１は、蓋用ケース体２５５の表面から外方に起立させて形成された外側筒部２７２と、蓋用ケース体２５５の裏面から内方に起立させて形成された内側筒部２７３とを備えており、蓋用ケース体２５５を内外に貫通している。
【０１３１】
外側筒部２７２の先端開口部２７５には、図１８に示すように、内側に突出した環状縮径部２７６が一体形成されており、筒状領域２７１の内径は外側筒部２７２の先端開口部２７５にて縮径されている。また、外側筒部２７２の内周面には、図１９（ａ）に示すように、環状縮径部２７６を基端として軸線方向に延びる複数（具体的には、８個）のケース側リブ２７７が一体形成されている。これら複数のケース側リブ２７７は、上記軸線を中心として等間隔に形成されており、各ケース側リブ２７７間にはそれぞれケース側カム溝２７８が形成されている。任意の一のケース側リブ２７７は他の一のケース側リブ２７７と対向しており、任意の一のケース側カム溝２７８は他の一のケース側カム溝２７８と対向している。また、ケース側リブ２７７の数はケース側カム溝２７８の数と同一となっている。なお、対向するケース側カム溝２７８間の距離は、筒状領域２７１におけるケース側リブ２７７が形成された領域よりも内側筒部２７３側の領域の内径と同一となっている。
【０１３２】
上記構成の筒状領域２７１内に、図１８に示すように、内側筒部２７３側から突出部２６１ｄが入り込んでいる。また、筒状領域２７１には、第１バネ２６３、回転子２６４、第２バネ２６５及びプッシャ２６６が設置されている。これら第１バネ２６３、回転子２６４、第２バネ２６５及びプッシャ２６６は、それらの各軸線が円盤２６２の回転軸線及び筒状領域２７１の軸線と同一線上に位置している。
【０１３３】
プッシャ２６６は合成樹脂材料により形成されており、図１８に示すように、軸線方向の一端側が開放され他端側が閉塞された形状をなしている。なお、閉塞部２６６ａの周面は外方に凸の曲面状となっている。
【０１３４】
プッシャ２６６の外周面におけるその開放部２６６ｂ側には、外方に突出した複数の突起２６６ｃが一体形成されている。これら複数の突起２６６ｃは、上記軸線を中心として等間隔に形成されており、任意の一の突起２６６ｃは他の一の突起２６６ｃと対向している。突起２６６ｃの数は、ケース側リブ２７７やケース側カム溝２７８の数よりも少ないが、同数としてもよい。
【０１３５】
プッシャ２６６における、閉塞部２６６ａの周面及び突起２６６ｃが形成された領域を除いた部位の外径は、対向するケース側リブ２７７間の距離と同一又はそれよりも若干小さくなっている。プッシャ２６６は、筒状領域２７１内にその内側筒部２７３側から挿通されており、閉塞部２６６ａ側が先端開口部２７５を通じて筒状領域２７１の外方に突出しており、開放部２６６ｂ側が筒状領域２７１内にある。この場合、各突起２６６ｃは、ケース側カム溝２７８内に入り込んでいる。そして、プッシャ２６６は、筒状領域２７１内を軸線方向に移動可能となっている。
【０１３６】
筒状領域２７１内であってプッシャ２６６と円盤２６２との間に、回転子２６４が設けられている。回転子２６４は合成樹脂材料により形成されており、図１９（ｃ）に示すように、軸線方向の途中位置に形成された段差部２８１を介して、外径が相対的に大小となった小径部２８２と大径部２８３とを備えている。
【０１３７】
大径部２８３の外周面には、その先端部から当該大径部２８３の途中位置まで軸線方向に延びる複数（具体的には、８個）の回転子側カム溝２８４が形成されている。これら複数の回転子側カム溝２８４は、上記軸線を中心として等間隔に形成されており、各回転子側カム溝２８４間にはそれぞれ回転子側リブ２８５が形成されている。回転子側カム溝２８４の数は回転子側リブ２８５の数と同一となっており、さらには回転子側カム溝２８４及び回転子側リブ２８５の数はケース側カム溝２７８及びケース側リブ２７７の数と同一となっている。
【０１３８】
回転子２６４において回転子側リブ２８５が形成された部位が最大外径部位となっており、この最大外径部位の外径は筒状領域２７１におけるケース側リブ２７７が形成された領域よりも内側筒部２７３側の領域の内径と同一又はそれよりも若干小さくなっている。また、各回転子側リブ２８５は各ケース側カム溝２７８内に入り込み可能に形成されているとともに、各回転子側カム溝２８４は各ケース側リブ２７７が入り込み可能に形成されている。したがって、回転子２６４は筒状領域２７１内を軸線方向に移動可能となっている。
【０１３９】
回転子２６４は、図１８に示すように、その内部が小径部２８２の先端にて開放された第１開放領域２８６と、その内部が大径部２８３の先端にて開放された第２開放領域２８７とを備えており、これら第１開放領域２８６と第２開放領域２８７とは軸線方向に直交する面を有する仕切板部２８８により区画されている。
【０１４０】
第１開放領域２８６及び第２開放領域２８７のうち、第１開放領域２８６は断面が角形状（具体的には、四角形状）をなしており、当該角形状は回転軸体２６１の軸部２６１ｂの角形状と同一の多角形状をなしている。この第１開放領域２８６に軸部２６１ｂが遊挿されている。但し、第１開放領域２８６の各内面は軸部２６１ｂの各外面と近い位置にあり、回転子２６４は回転軸体２６１及び円盤２６２と一体的に回転する。つまり、回転子２６４がその軸線を中心として回転する場合、それに連動して円盤２６２が軸線を中心として回転する。ちなみに、第１開放領域２８６の長さ寸法は、突出部２６１ｄの長さ寸法よりも小さくなっている。
【０１４１】
これら回転子２６４と円盤２６２との間に介在させて、図１８に示すように、上記第１バネ２６３が設置されている。第１バネ２６３は、その内径が回転子２６４の小径部２８２の外径よりも大きくなっており、その一端が円盤２６２の表面に当接しており、他端が回転子２６４の段差部２８１に当接している。また、回転子２６４とプッシャ２６６との間に介在させて、上記第２バネ２６５が設置されている。第２バネ２６５は、その外径がプッシャ２６６の内径よりも小さくなっており、プッシャ２６６の内部空間に収容されている。そして、その一端がプッシャ２６６の閉塞部内面に当接しており、他端が回転子２６４の仕切板部２８８に当接している。第１バネ２６３及び第２バネ２６５は、圧縮状態で設置されている。なお、これら第１バネ２６３及び第２バネ２６５のうち、第１バネ２６３の付勢力の方が第２バネ２６５の付勢力よりも大きい。
【０１４２】
第１バネ２６３の付勢力は、円盤２６２に付与されるとともに、回転子２６４及びプッシャ２６６に付与される。この付勢力により、円盤２６２は土台用ケース体２５４に向けて付勢され、回転子２６４及びプッシャ２６６は外側筒部２７２の先端開口部２７５に向けて付勢されている。
【０１４３】
この先端開口部２７５に向けた回転子２６４及びプッシャ２６６の移動は、プッシャ２６６の各突起２６６ｃが外側筒部２７２の環状縮径部２７６に内側から当接した位置にて規制されている。つまり、プッシャ２６６の押圧が行われていない自然状態では、プッシャ２６６は筒状領域２７１から最も外方に突出した最大突出位置にある。
【０１４４】
回転子２６４は、上記自然状態において、各回転子側リブ２８５が各ケース側カム溝２７８に入り込み、さらに各回転子側カム溝２８４に各ケース側リブ２７７が入り込んだ状態となっている。つまり、回転子２６４は、自然状態において、軸線方向を中心とした回転が不可能となっている。なお、回転子２６４は、自然状態において、その第１開放領域２８６に突出部２６１ｄが遊挿されている。
【０１４５】
一方、第２バネ２６５の付勢力は、回転子２６４に付与されるとともに、プッシャ２６６に付与される。この第２バネ２６５は、プッシャ２６６における後述する自然状態への復帰動作を良好にするためのものである。なお、当該第２バネ２６５を不具備としても、プッシャ２６６の自然状態への復帰動作は可能である。
【０１４６】
以上説明した機械的動作機構２５７では、プッシャ２６６の自然状態からの移動及び当該自然状態への復帰に連動して円盤２６２が回転する。そこで、かかる円盤２６２の回転に関する構成について説明する。
【０１４７】
円盤２６２は上記のとおり回転軸体２６１と一体化されており、土台用ケース体２５４上に回転可能に載置されている。この場合に、円盤２６２は、回転子２６４の回転移動に連動して回転移動する。詳細には、回転子２６４の大径部２８３の先端には、図１９（ｃ）に示すように、連続山形状の回転子側カム部２８９が一体形成されている。この回転子側カム部２８９は、複数の山部２８９ａから構成されている。具体的には、一対の回転子側リブ２８５と回転子側カム溝２８４に対して、一の山部２８９ａが形成されている。この場合、回転子側リブ２８５の先端面は全て一方向への傾斜面となっており、各回転子側リブ２８５においてそれら傾斜面の傾斜方向及び傾斜角度は全て同一となっている。同様に、回転子側カム溝２８４の先端面は全て一方向への傾斜面となっており、各回転子側カム溝２８４においてそれら傾斜面の傾斜方向及び傾斜角度は全て同一となっている。
【０１４８】
上記回転子側カム部２８９に対応させて、プッシャ２６６の開放部２６６ｂの先端には、図１９（ｂ）に示すように、連続山形状のプッシャ側カム部２９０が一体形成されている。プッシャ側カム部２９０は、回転子側カム部２８９の山部２８９ａと同数の山部２９０ａから構成されている。そして、プッシャ側カム部２９０の山部２９０ａは、回転子側カム部２８９の山部２８９ａと同一のピッチ、大きさ、傾斜及び形状を有している。したがって、回転子２６４の大径部２８３の先端とプッシャ２６６の開放部２６６ｂの先端とをそれらの軸線方向に重ね合わせると、回転子側カム部２８９とプッシャ側カム部２９０とが完全に噛み合う。
【０１４９】
また、筒状領域２７１のケース側リブ２７７の先端面２７７ａは、図１９（ａ）に示すように、全て一方向への傾斜面となっており、各ケース側リブ２７７においてそれら傾斜面の傾斜方向及び傾斜角度は全て同一となっている。この各ケース側リブ２７７の先端面２７７ａの傾斜方向は、各回転子側リブ２８５の先端面の傾斜方向に対して逆方向となっているが、両者の傾斜角度は同一となっている。
【０１５０】
上記のように回転子側カム部２８９、プッシャ側カム部２９０及びケース側リブ２７７が形成されていることにより、プッシャ２６６の自然状態からの移動及び当該自然状態への復帰に連動して円盤２６２が回転する。かかる円盤２６２の回転動作について、図２０を参照して説明する。図２０は、プッシャ２６６の移動に連動した円盤２６２の回転動作を説明するための説明図である。なお、図２０（ａ）は自然状態を示し、図２０（ｂ）及び図２０（ｃ）はプッシャ２６６が押圧されている状態を示し、図２０（ｄ）は自然状態に復帰する過程を示す。また、図２０（ａ）〜（ｄ）において、ドット模様で示す部位は回転子側リブ２８５であり、格子状模様で示す部位はケース側リブ２７７であり、黒塗りで示す部位はプッシャ２６６の突起２６６ｃである。
【０１５１】
図２０（ａ）に示すように、自然状態では、上述したように、第１バネ２６３に付勢されて、プッシャ２６６は最大突出位置にある。この場合、回転子２６４は、各回転子側リブ２８５が各ケース側カム溝２７８に入り込んでいるとともに、各回転子側カム溝２８４に各ケース側リブ２７７が入り込んでいる。これにより、回転子２６４の回転移動は阻止されている。なお、プッシャ２６６も、その突起２６６ｃがケース側カム溝２７８に入り込んでいるため、回転移動が阻止されている。また、回転子側カム部２８９は、その一部がプッシャ側カム部２９０に当接している。但し、これらカム部２８９，２９０は完全には噛み合っていない。
【０１５２】
その後、プッシャ２６６が第１バネ２６３の付勢力に抗する力で押圧されることにより、プッシャ２６６及び回転子２６４が円盤２６２側に向けて移動し、図２０（ｂ）に示すように、各回転子側リブ２８５が各ケース側カム溝２７８から外れるとともに、各回転子側カム溝２８４から各ケース側リブ２７７が外れる。これにより、回転子２６４の回転移動が許容される。一方、プッシャ２６６は、その突起２６６ｃがケース側カム溝２７８に入り込んでいるため、回転移動は依然として阻止されている。
【０１５３】
ここで、回転子２６４は上記のとおり第１バネ２６３の付勢力を受けているため、プッシャ２６６が押圧されている状況であってもプッシャ２６６側に向けた力が加わっている。また、回転子側カム部２８９は、その一部がプッシャ側カム部２９０に当接している。したがって、回転子２６４は、回転子側カム部２８９がプッシャ側カム部２９０と完全に噛み合う位置に向けて回転移動する。これにより、図２０（ｃ）に示すように、回転子２６４のそれ以上の内側への移動が阻止されたプッシャ２６６の最大押圧位置では、回転子側カム部２８９はプッシャ側カム部２９０と完全に噛み合っている。この場合に、上記のとおり、回転子２６４と円盤２６２とは回転軸体２６１の軸部２６１ｂを介して一体的に回転するようになっている。したがって、図２０（ｂ）から図２０（ｃ）への回転子２６４の回転移動に合わせて円盤２６２が回転移動する。この円盤２６２の回転量（回転角度）は、回転子２６４の回転量（回転角度）と同一となっている。これは、以下も同様である。
【０１５４】
その後、プッシャ２６６の押圧が解除されることにより、プッシャ２６６及び回転子２６４は、第１バネ２６３の付勢力（及び第２バネ２６５の付勢力）によって自然状態に向けて移動する。但し、プッシャ側カム部２９０の谷部分は、回転子２６４の回転方向で見て、ケース側リブ２７７の幅方向の中間位置となっている。したがって、図２０（ｄ）に示すように、プッシャ２６６はケース側リブ２７７と干渉することなく自然状態に向けて移動するが、回転子２６４は回転子側リブ２８５がケース側リブ２７７と干渉する。
【０１５５】
この場合に、上記のとおり、各ケース側リブ２７７の先端面２７７ａの傾斜方向は、各回転子側リブ２８５の先端面の傾斜方向に対して逆方向となっており、さらに両者の傾斜角度は同一となっている。また、回転子２６４は上記のとおり第１バネ２６３の付勢力を受けている。したがって、回転子２６４は、ケース側リブ２７７の先端面２７７ａに沿って回転移動する。また、この回転子２６４の回転移動に合わせて円盤２６２が回転移動する。これら回転子２６４及び円盤２６２の回転方向は、プッシャ２６６が押圧された際の回転子２６４及び円盤２６２の回転方向と同一となっている。そして、最終的に、図２０（ａ）に示すように、プッシャ２６６及び回転子２６４が自然状態に復帰する。但し、上記一連の動作により回転子２６４は所定角度回転し、各回転子側リブ２８５は当初のケース側カム溝２７８内からその隣のケース側カム溝２７８内に移動している。そして、この回転子２６４の回転移動に合わせて円盤２６２も回転移動している。
【０１５６】
以上説明した本構成では、自然状態にあるプッシャ２６６が押圧され、その後に自然状態に復帰するという１サイクルの動作が行われた場合には、円盤２６２は常に同一の規定角度だけ回転移動する（規定回転量だけ回転移動する）。そして、円盤２６２が一周するためには、上記１サイクルの動作がケース側カム溝２７８の数分行われる必要がある。かかる構成では、円盤２６２は、自然状態における待機位置（回転待機位置）が複数段階設定されていると言うことができ、上記１サイクルの動作により１の待機位置から次の待機位置に移動すると言える。
【０１５７】
上記のように回転子２６４及び円盤２６２が回転する構成において、プッシャ２６６が最大突出位置（又は、自然状態）から最大押圧位置（又は、プッシャ側カム部２９０と回転子側カム部２８９とが完全に噛み合う位置）に移動するまでの回転量（回転角度）は、プッシャ２６６が最大押圧位置から最大突出位置に移動するまでの回転量（回転角度）よりも小さくなっている。当該構成について図２１を参照して説明する。図２１は、蓋用ケース体２５５の筒状領域２７１、プッシャ２６６の開放部２６６ｂ側及び回転子２６４の大径部２８３周辺を展開して示す説明図である。なお、図２１における寸法や距離の記載は、単一の仮想円周を基準としたものである。
【０１５８】
既に説明したように、ケース側リブ２７７の幅寸法Ｘ１とケース側カム溝２７８の幅寸法Ｘ２とは同一（又は略同一）となっており（Ｘ１＝Ｘ２）、図２１（ａ）に示すように、一対のケース側リブ２７７とケース側カム溝２７８との各幅寸法Ｘ１，Ｘ２の和は、距離Ｌ１となっている（Ｌ１＝Ｘ１＋Ｘ２）。そして、上記のとおり、自然状態からプッシャ２６６が最大押圧位置まで移動し、その後、自然状態に復帰した場合、各回転子側リブ２８５は当初のケース側カム溝２７８内からその隣りのケース側カム溝２７８内に移動する。したがって、プッシャ２６６が上記のように１サイクルの移動を行った場合、回転子２６４の回転量はＬ１となる。
【０１５９】
また、プッシャ側カム部２９０の山部（プッシャ側山部）２９０ａの数と回転子側カム部２８９の山部（回転子側山部）２８９ａの数とは同一となっており、さらにプッシャ側山部２９０ａの幅寸法と回転子側山部２８９ａの幅寸法とは同一となっている。プッシャ側山部２９０ａ及び回転子側山部２８９ａは、共に同一形状及び同一の大きさの二等辺三角形となっており、幅寸法はＬ１となっている。ちなみに、各山部２８９ａ，２９０ａの最大突出箇所から最大凹箇所までの幅寸法は（Ｌ１×１／２）となっている。また、各プッシャ側山部２９０ａの最大突出箇所は、ケース側カム溝２７８の幅方向の中間位置にあり、各プッシャ側山部２９０ａの最大凹箇所は、ケース側リブ２７７の幅方向の中間位置にある。
【０１６０】
図２１（ａ）に示すように、自然状態では、各回転子側リブ２８５が各ケース側カム溝２７８内に入り込んでいる。この場合、プッシャ側山部２９０ａと回転子側山部２８９ａとは当接しているが、プッシャ側カム部２９０と回転子側カム部２８９とが完全に噛み合った状態のときよりも幅方向に距離Ｌ２分ずれた位置にある。この距離Ｌ２は、距離Ｌ１の１／４となっている。
【０１６１】
その後、プッシャ２６６が押圧され各回転子側リブ２８５が各ケース側カム溝２７８から外れることにより、回転子２６４が距離Ｌ２分、すなわち距離（Ｌ１×１／４）分だけ回転移動し、図２１（ｂ）に示すように、プッシャ側カム部２９０と回転子側カム部２８９とが噛み合った状態となる。
【０１６２】
その後、プッシャ２６６の押圧が解除され自然状態に復帰することで、既に説明したように、回転子２６４が回転移動し、各回転子側リブ２８５が移動先の各ケース側カム溝２７８内に入り込んだ状態となる。この際の回転量は、距離（Ｌ１−Ｌ２）分、すなわち距離（Ｌ１×３／４）分である。つまり、本構成においては、自然状態からプッシャ２６６が最大押圧位置まで移動する際に回転子２６４が回転移動する回転量（回転角度）は、自然状態に復帰する際に回転子２６４が回転移動する回転量（回転角度）の１／３となっている。そして、これに伴って、円盤２６２が回転移動する回転量（回転角度）は、自然状態からプッシャ２６６が最大押圧位置まで移動する際に対して、自然状態に復帰する際の１／３となっている。
【０１６３】
なお、回転子２６４（及び円盤２６２）の回転量は上記のものに限定されることはない。すなわち、回転子側リブ２８５が一のケース側カム溝２７８からその隣りのケース側カム溝２７８に回転移動する場合、その回転移動の途中位置にてプッシャ側カム部２９０と回転子側カム部２８９とが噛み合い、この噛み合いにより、自然状態からプッシャ２６６が最大押圧位置に向けて移動する場合の回転子２６４の回転移動が規制されるものであり、この各カム部２８９，２９０が噛み合う位置までの回転子２６４の回転量（回転角度）が当該噛み合う位置から移動先のケース側カム溝２７８までの回転子２６４の回転量（回転角度）よりも小さくなっていればよい。
【０１６４】
次に、検知装置２５８による円盤２６２の待機位置の検知に関する構成を説明する。図２２は検知装置２５８の平面図である。
【０１６５】
検知装置２５８は、円盤２６２の回転待機位置を検知し、その検知結果を主制御装置１６２に出力する機能を有する。具体的には、検知装置２５８は、合成樹脂材料により形成されたベース部２９１を備えている。ベース部２９１は、その中央部分に厚み方向に貫通した矩形の開口部２９１ａを有する略矩形枠状をなしている。ベース部２９１には、その周縁部の一辺に外方に延出した延出板部２９１ｂが一体形成されており、当該延出板部２９１ｂの表面にはコネクタ（電気的接続部材）２９２が設置されている。コネクタ２９２は複数（具体的には、５個）の接続ピン２９２ａを備えている。当該コネクタ２９２には、図１６や図１７に示すように、主制御装置１６２に向けた信号経路を形成するハーネス２９３のコネクタ（電気的接続部材）２９３ａが接続される。なお、ハーネス２９３は、上記接続ピン２９２ａの数と同数の電気配線２９３ｂを束ねてなり、各接続ピン２９２ａに対応した信号経路は主制御装置１６２と検知装置２５８との間の全体に亘ってそれぞれ独立している。
【０１６６】
コネクタ２９２の接続ピン２９２ａは、図２２に示すように、開口部２９１ａに設置された長尺状の金属端子２９４と電気的に接続されている。金属端子２９４について詳細には、金属端子２９４は複数設けられており、各金属端子２９４は全て同一の形状及び大きさを有している。金属端子２９４の数は、コネクタ２９２の接続ピン２９２ａと同数となっている。各金属端子２９４は、その一端が開口部２９１ａの周縁におけるコネクタ２９２側の一辺に固定されているとともに、他端が開口部２９１ａの周縁におけるコネクタ２９２側の一辺に対して対向する一辺に固定されている。つまり、各金属端子２９４は、開口部２９１ａの周縁におけるコネクタ２９２側の一辺とそれに対向する一辺とを橋渡すようにして設置されている。
【０１６７】
開口部２９１ａにおいて各金属端子２９４は相互に離間させて設けられており、各金属端子２９４は相互に接触していない。また、複数の金属端子２９４は、開口部２９１ａにおける非橋渡し方向の両端部にそれぞれ偏倚させて設置されている。これにより、開口部２９１ａにおいて非橋渡し方向の中央部分は所定範囲に亘って金属端子２９４が位置していない。
【０１６８】
上記のように開口部２９１ａにおける非橋渡し方向の両端部にそれぞれ偏倚させて複数の金属端子２９４を設置した構成において、非橋渡し方向の一端側に偏倚させて設置された金属端子２９４の数と他端側に偏倚させて設置された金属端子２９４の数とは異なっている。具体的には、図２２の状態で見て、右端側に偏倚させて設置された金属端子２９４の数は３個となっており、左端側に偏倚させて設置された金属端子２９４の数は２個となっている。このうち、右端側の金属端子２９４は等間隔で離間させて設置されており、この離間させた間隔は金属端子２９４の幅寸法分となっている。また、左端側の金属端子２９４は、当該金属端子２９４の幅寸法分離間させて設置されている。
【０１６９】
なお、右端側の金属端子２９４の数を左端側の金属端子２９４の数よりも少なくしてもよく、右端側の金属端子２９４の数と左端側の金属端子２９４の数とを同数としてもよい。また、右端側又は左端側のいずれか一方にのみ金属端子２９４を設置するようにしてもよい。また、金属端子２９４間の距離は、金属端子２９４の幅寸法分よりも大きくてもよい。
【０１７０】
各金属端子２９４は、その長さ方向の中間部分が、ベース部２９１の裏面側から表面側に変形されている。つまり、各金属端子２９４は、その長さ方向の中間部分に隆起接点部２９５が形成されている。各金属端子２９４は、隆起接点部２９５のみが開口部２９１ａの表面側の縁部よりも外方に突出しており、その他の部分は当該表面側の縁部よりも奥まった位置にある。これら隆起接点部２９５は、検知装置２５８の上方に位置する円盤２６２の裏面によって上方から若干押圧されている。金属端子２９４は、比較的弾性の大きい金属により長尺状に形成されており板バネとしての機能を有しているため、隆起接点部２９５は自己の付勢力により円盤２６２の裏面に接した状態が維持されている。
【０１７１】
各金属端子２９４は、ベース部２９１の裏面に設けられた中継電気線２９６を介してコネクタ２９２の接続ピン２９２ａと電気的に接続されている。この中継電気線２９６は、金属端子２９４及び接続ピン２９２ａの各組合せと１対１で対応させて設けられており、各中継電気線２９６は相互に離間されている。
【０１７２】
上記の検知装置２５８は、土台用ケース体２５４上に載置されているとともに、当該土台用ケース体２５４と蓋用ケース体２５５とにより挟持されている。そして、検知装置２５８は、延出板部２９１ｂ及びコネクタ２９２を除いてハウジング２５６内に収容されている。つまり、延出板部２９１ｂ及びコネクタ２９２はハウジング２５６外に突出している。
【０１７３】
検知装置２５８は、土台用ケース体２５４上において、円盤２６２の下方に位置している。この場合に、円盤２６２と一体化された回転軸体２６１は土台用ケース体２５４上に載置されているが、検知装置２５８のベース部２９１には開口部２９１ａが形成されており、さらに開口部２９１ａにおいて非橋渡し方向の中央部分は所定範囲に亘って金属端子２９４が位置していないため、検知装置２５８と回転軸体２６１との干渉が防止されている。
【０１７４】
円盤２６２は、検知装置２５８の上方において回転移動する。この円盤２６２の構成について図２３を用いてより詳細に説明する。図２３（ａ）は円盤２６２の平面図、図２３（ｂ）は図２３（ａ）のＡ―Ａ線断面図である。
【０１７５】
円盤２６２は、図２３（ｂ）に示すように、その厚み方向に複数層構造となっている。具体的には、表側の第１樹脂板層２９７と、中間の金属板層２９８と、裏側の第２樹脂板層２９９と、からなる３層構造となっている。この場合、回転軸体２６１の軸部２６１ｂが嵌合される貫通孔２６２ａは、全ての板層２９７〜２９９を貫通するようにして形成されている。
【０１７６】
円盤２６２は、既に説明したように、自然状態における待機位置が複数段階設定されており、プッシャ２６６の上記１サイクルの動作により、一の待機位置から次の待機位置に回転移動する。ここで、図２３（ａ）において、円盤２６２の表面に記した数字は待機位置を示しており、当該円盤２６２は第１待機位置〜第８待機位置を有している。この待機位置について詳細には、第１待機位置では、数字の「１」が記された部位が、検知装置２５８のコネクタ２９２と最も近い位置にある。また、円盤２６２は、図２３（ａ）の状態で見て時計回りに回転移動するものであり、次の第２待機位置では、数字の「２」が記された部位が、検知装置２５８のコネクタ２９２と最も近い位置にある。なお、この数字を不具備としてもよい。
【０１７７】
円盤２６２は、各待機位置において、検知装置２５８の各金属端子２９４を、所定の組合せで電気的に導通させる。当該機能について詳細に説明する。円盤２６２の第１樹脂板層２９７と金属板層２９８とには、貫通孔２６２ａ以外の孔部は形成されていないが、第２樹脂板層２９９には貫通孔２６２ａ以外に複数の孔部２９９ａが形成されている。この孔部２９９ａが形成された位置では、金属板層２９８の板面が露出している。この露出した板面が、検知装置２５８による被検知部２９８ａとなっている。
【０１７８】
被検知部２９８ａは、図２３（ａ）に示すように、円盤２６２の周縁寄りの位置に形成されている。これら被検知部２９８ａは、各待機位置にそれぞれ対応させて形成されており、円盤２６２が対応する待機位置となった際にいずれかの金属端子２９４の隆起接点部２９５の上方に位置する。そして、被検知部２９８ａが下方に位置する隆起接点部２９５と当接するように、第２樹脂板層２９９の厚み寸法、第２樹脂板層２９９の柔らかさ、及び隆起接点部２９５の隆起度合いが設定されている。この場合、一の待機位置に対応する各被検知部２９８ａは、円盤２６２の中心を通る直線上に並んでいる。また、任意の待機位置から円盤２６２を１８０°回転移動させると、他の待機位置となる。したがって、一の待機位置に対応する各被検知部２９８ａが並ぶ直線上には、円盤２６２を１８０°回転移動させた場合の待機位置に対応する各被検知部２９８ａも並んでいる。但し、これら待機位置に対応した各被検知部２９８ａは、重複していない。
【０１７９】
円盤２６２によって電気的に導通される金属端子２９４の組合せと当該円盤２６２の待機位置との関係について図２４及び図２５を参照して説明する。なお、以下の説明では、各金属端子２９４を図２４の状態で見て左側から順に、第１金属端子２９４ａ、第２金属端子２９４ｂ、第３金属端子２９４ｃ、第４金属端子２９４ｄ及びベース金属端子２９４ｅと称する。
【０１８０】
図２４（ａ）及び図２５に示すように、円盤２６２が第１待機位置にある場合、第１金属端子２９４ａとベース金属端子２９４ｅとが電気的に導通される。また、図２４（ｂ）及び図２５に示すように、円盤２６２が第１待機位置にある場合、第２金属端子２９４ｂとベース金属端子２９４ｅとが電気的に導通される。また、第３待機位置〜第８待機位置については、図２５に示すとおりである。そして、図２５に示すように、各待機位置において、電気的に導通される金属端子２９４の組合せは全て異なっている。なお、いずれの待機位置においても、ベース金属端子２９４ｅが他の金属端子２９４ａ〜２９４ｄと電気的に導通される。
【０１８１】
上記のとおり、一の待機位置に対応する各被検知部２９８ａが並ぶ直線上には、円盤２６２を１８０°回転移動させた場合の待機位置に対応する各被検知部２９８ａも並んでいる。この場合に、一方の待機位置において他の待機位置に対応した被検知部２９８ａが隆起接点部２９５の上方に位置しないようになっている。
【０１８２】
詳細には、各金属端子２９４は、図２４の状態で見て、第１金属端子２９４ａと第２金属端子２９４ｂとが開口部２９１ａの左端側にあり、第３金属端子２９４ｃと第４金属端子２９４ｄとベース金属端子２９４ｅとが開口部２９１ａの右端側にある。この場合に、円盤２６２の回転中心に対する各金属端子２９４ａ〜２９４ｅの隆起接点部２９５の距離が異なるように、各金属端子２９４ａ〜２９４ｅが設置されている。そして、各金属端子２９４ａ〜２９４ｅの幅寸法は全て同一となっているとともに、円盤２６２の回転中心に対する各隆起接点部２９５の距離は当該幅寸法の自然数倍ずつ異なっている。さらに、隆起接点部２９５の大きさは、接触対象の被検知部のみが接触するように設定されている。したがって、円盤２６２が１周した場合、各検知部の移動経路上には接触対象の一の隆起接点部２９５のみが存在することとなり、上記のとおり一方の待機位置において他の待機位置に対応した被検知部２９８ａが隆起接点部２９５の上方に位置しない。
【０１８３】
第１待機位置と第５待機位置について具体的には、図２４（ａ）及び図２４（ｃ）に示すように、第１待機位置においていずれかの隆起接点部２９５の上方に位置している被検知部２９８ａは、第５待機位置においていずれの隆起接点部２９５の上方にも位置しておらず、さらに第５待機位置においていずれかの隆起接点部２９５の上方に位置している被検知部２９８ａは、第１待機位置においていずれの隆起接点部２９５の上方にも位置していない。
【０１８４】
また、第２待機位置と第６待機位置について具体的には、図２４（ｂ）及び図２４（ｄ）に示すように、第２待機位置においていずれかの隆起接点部２９５の上方に位置している被検知部２９８ａは、第６待機位置においていずれの隆起接点部２９５の上方にも位置しておらず、さらに第６待機位置においていずれかの隆起接点部２９５の上方に位置している被検知部２９８ａは、第２待機位置においていずれの隆起接点部２９５の上方にも位置していない。
【０１８５】
上記のように被検知部２９８ａと隆起接点部２９５との位置関係が設定された構成において、隆起接点部２９５は、検知対象外の被検知部２９８ａが接しない範囲内において、被検知部２９８ａよりも大きめに形成されている。ここで、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。そして、隆起接点部２９５は、自然状態から最大押圧位置までプッシャ２６６が移動する場合、その移動開始前に接していた被検知部２９８ａとの接触状態が維持される大きさに形成されている。
【０１８６】
以上の構成において、検知装置２５８には、コネクタ２９２に接続されるハーネス２９３を介して主制御装置１６２から電気信号が出力される。この電気信号は、コネクタ２９２の複数の接続ピン２９２ａのうち、一の接続ピン２９２ａに供給される。この主制御装置１６２からの電気信号が供給される接続ピン２９２ａは、中継電気線２９６を介してベース金属端子２９４ｅと電気的に接続されている。つまり、主制御装置１６２からの電気信号は、ベース金属端子２９４ｅに供給される。
【０１８７】
各金属端子２９４ａ〜２９４ｅは、既に説明したように、円盤２６２の待機位置に応じて所定の組合せで電気的に導通される。また、いずれの待機位置においても、ベース金属端子２９４ｅが他の金属端子２９４ａ〜２９４ｄと電気的に導通される。ベース金属端子２９４ｅと電気的に導通される金属端子２９４ａ〜２９４ｄには、ベース金属端子２９４ｅから上記電気信号が供給される。そして、この電気信号は、その金属端子２９４ａ〜２９４ｄと対応する中継電気線２９６を介して電気的に接続された接続ピン２９２ａに供給される。この接続ピン２９２ａに供給された電気信号は、ハーネス２９３を介して主制御装置１６２に入力される。主制御装置１６２では、この入力した電気信号がいずれの接続ピン２９２ａから供給されたものかを把握可能となっている。つまり、主制御装置１６２では、検知装置２５８に電気信号を出力し、その電気信号が返還された場合の出力元の接続ピン２９２ａの種類により、円盤２６２がいずれの待機位置にあるかを把握する。言い換えると、主制御装置１６２では、検知装置２５８からの検知信号パターン（機械的コード）に基づいて、円盤２６２がいずれの待機位置にあるかを把握する。
【０１８８】
ちなみに、本監視装置２５０において「検知状態」とは、検知装置２５８において、円盤２６２により導通が確保されている金属端子２９４ａ〜２９４ｅの組合せのことであり、主制御装置１６２から監視装置２５０に電気信号が供給されている状況では検知状態が検知信号パターンとして主制御装置１６２に出力されるものである。また、本監視装置２５０において「待機状態」とは、上記検知状態の概念を含めた状態のことであり、外部電源からパチンコ機１０への電力供給が少なくとも行われていない状況であっても維持可能な状態のことである。
【０１８９】
なお、待機位置の検知に関する構成は上記のものに限定されることはなく、待機位置の数が２個，３個，４個，５個，６個，７個又は９個以上であってもよい。この場合、ケース側カム溝２７８、回転子側リブ２８５及び各カム部２８９，２９０の山部２８９ａ，２９０ａの数などを待機位置の数に合わせて変更する必要がある。また、検知装置２５８に関して、長尺状の金属端子２９４に代えて、突起状の金属端子を設けてもよい。また、金属端子２９４の数は、各待機位置を個別に検知することができるのであれば、５個未満又は６個以上としてもよい。さらには、第２樹脂板層２９９に孔部２９９ａを形成することで被検知部２９８ａを形成したが、金属板層２９８の裏面に突起を形成することで被検知部２９８ａを形成してもよい。
【０１９０】
次に、プッシャ２６６が上記１サイクルの動作を行う場合における検知装置２５８からの検知信号パターンの切り替わりタイミングについて説明する。図２６は上記切り替わりタイミングを説明するための説明図である。なお、図２６（ａ）〜（ｅ）は、プッシャ２６６の１サイクルの動作を示し、図２６（ａ）及び図２６（ｅ）は自然状態、図２６（ｃ）は最大押圧状態、図２６（ｂ）及び図２６（ｄ）は自然状態と最大押圧状態との間の状態を示す。また、第１検知信号パターンはプッシャ２６６の押圧が行われる前の検知信号パターンであり、第２検知信号パターンはプッシャ２６６の押圧が行われた後に移行する検知信号パターンである。
【０１９１】
既に説明したように、プッシャ２６６の上記１サイクルの動作において、自然状態から最大押圧位置までプッシャ２６６が移動するまでの円盤２６２の回転量は、自然状態に復帰する際の円盤２６２の回転量よりも小さくなっている。また、隆起接点部２９５は、自然状態から最大押圧位置までプッシャ２６６が移動する場合、その移動開始前に接していた被検知部２９８ａとの接触状態が維持される大きさに形成されている。したがって、図２６（ａ）〜（ｃ）に示す自然状態から最大押圧状態へ移行する場合には第１検知信号パターンは維持され、最大押圧状態から自然状態に復帰する途中の図２６（ｄ）に示すタイミングで第１検知信号パターンから第２検知信号パターンに切替えられる。
【０１９２】
なお、第１検知信号パターンから第２検知信号パターンへ切り替わる際に、所定期間に亘って第１検知信号パターンと第２検知信号パターンとが混在し、いずれの検知信号パターンであるかが認識不可となる構成としてもよい。当該構成であっても、かかる認識不可な期間は、検知信号パターンが切り替わる途中の期間であるため、各待機位置における検知信号パターンの認識は正確に行われる。
【０１９３】
以上説明した監視装置２５０は、上記のとおり第１監視装置２５１として本体枠１３の樹脂ベース７１に設置されている（図１４（ａ）参照）。そして、図１４（ｂ）に示すように、前扉枠１４が閉鎖された状態では当該前扉枠１４によってプッシャ２６６が押圧され、当該プッシャ２６６は最大押圧位置にある。また、図１４（ｃ）に示すように、前扉枠１４が開放された状態では当該前扉枠１４による押圧が解除され、プッシャ２６６は自然状態に復帰する。図１４（ｂ）の状態から図１４（ｃ）の状態に移行するタイミングで、第１監視装置２５１の検知状態（すなわち、円盤２６２の待機位置）が切替えられ、それに伴って、第１監視装置２５１から出力される検知信号パターンが切替えられる。
【０１９４】
また、監視装置２５０は、上記のとおり第２監視装置２５２として裏パックユニット１５に設置されている（図１５（ａ）参照）。この場合、裏パックユニット１５には押圧片３００が設けられている。押圧片３００は、板バネとしての機能を有しており、一端が裏パックユニット１５の回動基端側の側面から外方に突出しており、他端が第２監視装置２５２のプッシャ２６６の先端と隣接した位置にて対峙している。当該構成においては、図１５（ｂ）に示すように、遊技機主部１２が閉鎖された状態では外枠１１によって押圧片３００の外方に突出した端部が押圧される。そして、外枠１１によって押圧片３００が押圧されることで、押圧片３００自体の板バネとしての機能によりプッシャ２６６が押圧される。したがって、遊技機主部１２が閉鎖された状態ではプッシャ２６６は最大押圧位置にある。また、図１５（ａ）に示すように、遊技機主部１２が開放された状態では外枠１１による押圧片３００の押圧が解除され、それに伴って押圧片３００によるプッシャ２６６の押圧が解除される。これにより、プッシャ２６６は自然状態に復帰する。図１５（ｂ）の状態から図１５（ａ）の状態に移行するタイミングで、第２監視装置２５２の検知状態（すなわち、円盤２６２の待機位置）は切替えられ、それに伴って、第２監視装置２５２から出力される検知信号パターンが切替えられる。
【０１９５】
第１監視装置２５１及び第２監視装置２５２は、上記のとおり複数段階の検知状態を備えており、監視対象の開放操作が行われる度にその検知状態が順次切替えられる。この場合に、当該検知状態は機械的な検知状態であるため、検知状態の切替えに際しては電力を要しない。よって、パチンコ機１０の電源遮断状態において、前扉枠１４や遊技機主部１２の開放操作が行われたとしても、各監視装置２５１，２５２の検知状態は切替えられる。そして、パチンコ機１０の電源が投入された状態において、検知状態に対応した検知信号パターンが各監視装置２５１，２５２から主制御装置１６２に出力される。主制御装置１６２では、各監視装置２５１，２５２から入力した検知信号パターンに基づいて、電源遮断状態における前扉枠１４や遊技機主部１２の不正開放を監視する。この主制御装置１６２における監視処理については、後に説明する。
【０１９６】
次に、パチンコ機１０の電気的構成について、図２７のブロック図に基づいて説明する。図２７では、電力の供給ラインを二重線矢印で示し、信号ラインを実線矢印で示す。
【０１９７】
主制御装置１６２に設けられた主制御基板３０１には、主制御回路３０２と停電監視回路３０３（電断監視回路）とが内蔵されている。主制御回路３０２には、ＣＰＵ３１１が搭載されている。
【０１９８】
ＣＰＵ３１１には、当該ＣＰＵ３１１により実行される各種の制御プログラムや固定値データを記憶したＲＯＭ３１２（不揮発性情報記憶手段）と、そのＲＯＭ３１２内に記憶される制御プログラムの実行に際して各種のデータ等を一時的に記憶するためのメモリであるＲＡＭ３１３（揮発性情報記憶手段）と、割込回路やタイマ回路、データ入出力回路などの各種回路が内蔵されている。なお、ＣＰＵ３１１、ＲＯＭ３１２及びＲＡＭ３１３がそれぞれ個別に１チップ化された構成としてもよい。これは、他の制御装置のＣＰＵにおいても同様である。
【０１９９】
ＲＡＭ３１３は、パチンコ機１０の電源の遮断後においても電源及び発射制御装置２４３に設けられた電源及び発射制御基板３２１からデータ記憶保持用電力が供給されてデータが保持される構成となっている。
【０２００】
ＣＰＵ３１１には、入力ポート及び出力ポートがそれぞれ設けられている。ＣＰＵ３１１の入力側には、主制御基板３０１に設けられた停電監視回路３０３、払出制御装置２４２に設けられた払出制御基板３２２及びその他図示しないスイッチ群などが接続されている。この場合に、停電監視回路３０３には電源及び発射制御基板３２１が接続されており、ＣＰＵ３１１（主制御回路３０２）には停電監視回路３０３を介して電力が供給される。
【０２０１】
一方、ＣＰＵ３１１の出力側には、停電監視回路３０３、払出制御基板３２２及び中継端子板３２３が接続されている。払出制御基板３２２には、賞球コマンドなどといった各種コマンドが出力される。中継端子板３２３を介して主制御回路３０２から音声ランプ制御装置１４３に設けられた音声ランプ制御基板３２４に対して各種コマンドなどが出力される。
【０２０２】
停電監視回路３０３は、主制御回路３０２と電源及び発射制御基板３２１とを中継し、また電源及び発射制御基板３２１から出力される最大電圧である直流安定２４ボルトの電圧を監視する。そして、この電圧が２２ボルト未満になると電源遮断の発生と判断し、主制御回路３０２に対して停電信号を送信する。主制御回路３０２では、この停電信号の入力を確認することにより、その確認結果に基づいて後述する停電時処理（電断時処理）を実行する。
【０２０３】
払出制御基板３２２は、払出装置２２４により賞球や貸し球の払出制御を行うものである。演算装置であるＣＰＵ３３１は、そのＣＰＵ３３１により実行される制御プログラムや固定値データ等を記憶したＲＯＭ３３２と、ワークメモリ等として使用されるＲＡＭ３３３とを備えている。
【０２０４】
払出制御基板３２２のＲＡＭ３３３は、主制御回路３０２のＲＡＭ３１３と同様に、パチンコ機１０の電源の遮断後においても電源及び発射制御基板３２１からデータ記憶保持用電力が供給されてデータが保持される構成となっている。
【０２０５】
払出制御基板３２２のＣＰＵ３３１には、入出力ポートが設けられている。ＣＰＵ３３１の入力側には、主制御回路３０２、電源及び発射制御基板３２１、及び裏パック基板２２９が接続されている。また、ＣＰＵ３３１の出力側には、主制御回路３０２及び裏パック基板２２９が接続されている。
【０２０６】
電源及び発射制御基板３２１は、電源部３２１ａと発射制御部３２１ｂとを備えている。電源部３２１ａは、例えば、遊技ホール等における商用電源（外部電源）に接続されている。そして、その商用電源から供給される外部電力に基づいて主制御回路３０２や払出制御基板３２２等に対して各々に必要な動作電力を生成するとともに、その生成した動作電力を二重線矢印で示す経路を通じて主制御回路３０２や払出制御基板３２２等に対して供給する。その概要としては、電源部３２１ａは、裏パック接続基板２２９を介して供給される交流２４ボルト電源を取り込み、各種スイッチやモータ等を駆動するための＋１２Ｖ電力、ロジック用の＋５Ｖ電力などを生成し、これら＋１２Ｖ電力、＋５Ｖ電力を主制御回路３０２や払出制御基板３２２等に対して供給する。
【０２０７】
発射制御部３２１ｂは、遊技者による遊技球発射ハンドル４１の操作にしたがって遊技球発射機構１１０の発射制御を担うものであり、遊技球発射機構１１０は所定の発射条件が整っている場合に駆動される。
【０２０８】
また、電源及び発射制御基板３２１には、電断時用電源手段としてデータ記憶保持用コンデンサ３２１ｃが搭載されている。データ記憶保持用コンデンサ３２１ｃには、電源部３２１ａが接続されており、パチンコ機１０の電源がＯＮ状態の場合（外部電源からの電力供給が行われている場合）には充電される。また、データ記憶保持用コンデンサ３２１ｃは主制御回路３０２におけるＣＰＵ３１１のＶＢＢ端子に接続されており、パチンコ機１０の電源がＯＦＦ状態の場合や商用電源における停電発生時等といった電源遮断状態（外部電源からの電力供給が遮断されている場合）では、データ記憶保持用コンデンサ３２１ｃから放電されＲＡＭ３１３に対してデータ記憶保持用電力が供給される。よって、かかる状況であっても、データ記憶保持用コンデンサ３２１ｃからデータ記憶保持用電力が供給されている間はＲＡＭ３１３に記憶されたデータが消去されることなく保持される。
【０２０９】
ちなみに、データ記憶保持用コンデンサ３２１ｃに充電された電力は主制御回路３０２のＲＡＭ３１３やその他のＲＡＭにおいてデータを記憶保持するために用いられ、電動アクチュエータなどの機器を動作させるためには用いられない。また、データ記憶保持用コンデンサ３２１ｃの容量は比較的大きく確保されており、電源遮断前にＲＡＭ３１３に記憶されていた情報は所定の期間内（例えば、１日や２日）保持される。また、電断時用電源手段は、データ記憶保持用コンデンサに限定されることはなく、バッテリや非充電式電池などであってもよい。非充電式電池の場合、パチンコ機１０の電源がＯＮ状態の際に電断時用電源手段への蓄電を行う必要はないが、定期的に交換する必要が生じる。
【０２１０】
また、電源及び発射制御基板３２１には、上記データ記憶保持用コンデンサ３２１ｃとは異なる停電時処理用コンデンサが設けられている。電源及び発射制御基板３２１では、直流安定２４ボルトの電源が２２ボルト未満になった後においても、停電時処理用コンデンサから放電することにより、後述する停電時処理の実行に十分な時間の間、制御系の駆動電源である５ボルトの出力を正常値に維持するように構成されている。これにより、主制御回路３０２などは、停電時処理を正常に実行し完了することができる。
【０２１１】
音声ランプ制御基板３２４は、各種ランプ部２３〜２５やスピーカ部２６、及び表示制御装置３２５を制御するものである。演算装置であるＣＰＵ３４１は、そのＣＰＵ３４１により実行される制御プログラムや固定値データ等を記憶したＲＯＭ３４２と、ワークメモリ等として使用されるＲＡＭ３４３とを備えている。
【０２１２】
音声ランプ制御基板３２４のＣＰＵ３４１には入出力ポートが設けられている。ＣＰＵ３４１の入力側には中継端子板３２３に中継されて主制御回路３０２が接続されており、主制御回路３０２から出力される各種コマンドに基づいて、各種ランプ部２３〜２５、スピーカ部２６、及び表示制御装置３２５を制御する。表示制御装置３２５は、音声ランプ制御基板３２４から入力する表示コマンドに基づいて図柄表示装置９１を制御する。
【０２１３】
次に、主制御装置１６２のＣＰＵ３１１により実行される各制御処理を図２８〜図３１のフローチャート等を参照しながら説明する。かかるＣＰＵ３１１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停電信号の入力により起動されるＮＭＩ割込み処理とがあり、説明の便宜上、はじめにＮＭＩ割込み処理とタイマ割込み処理とを説明し、その後メイン処理を説明する。
【０２１４】
図２８は、ＮＭＩ割込み処理であり、当該処理は、停電の発生等によるパチンコ機１０の電源遮断時に実行される。すなわち、停電の発生等によりパチンコ機１０の電源が遮断されると、停電信号が電源監視回路３０３からＣＰＵ３１１のＮＭＩ端子に出力され、ＣＰＵ３１１は実行中の制御を中断してＮＭＩ割込み処理を開始する。ＮＭＩ割込み処理では、ステップＳ１０１にてＲＡＭ３１３に設けられた停電フラグ格納エリアに停電フラグをセットし、本処理を終了する。その後、後述する通常処理にて停電フラグがセットされていることが確認されることで、停電時処理が実行される。
【０２１５】
次に、タイマ割込み処理について図２９のフローチャートを用いて説明する。
【０２１６】
先ずステップＳ２０１では、各種スイッチや払出制御基板３２２などからの信号読み込み処理を実行する。その後、ステップＳ２０２では、開放検知処理を実行する。開放検知処理では、前扉枠開放センサ７８及び本体枠開放センサ２３０から入力した信号に基づいて前扉枠１４及び遊技機主部１２が開放状態であるか否かを判定し、開放状態であると判定した場合には、音声ランプ制御装置１４３に対して報知コマンドを出力するとともに外部端子板２１３を介してホールコンピュータに報知信号を出力する報知処理を実行する。これにより、外部電源からの電力供給が行われている状況で前扉枠１４又は遊技機主部１２が開放状態となっている場合には、スピーカ部２６からの報知音の出力、エラー表示ランプ部２４の点灯、及び図柄表示装置９１での報知表示が行われ、前扉枠１４又は遊技機主部１２が開放状態となっていることがパチンコ機１０の周囲に対して報知される。また、ホールコンピュータにて、前扉枠１４又は遊技機主部１２が開放状態となっていることが把握される。つまり、本パチンコ機１０は、開閉体が開放状態であることを把握する開放把握手段と、開放状態であると判定した場合に予め定められた開放報知を報知手段にて実行させる開放報知実行手段とを備えている。
【０２１７】
続くステップＳ２０３では、通常時更新処理を実行する。通常時更新処理では、第１監視装置２５１及び第２監視装置２５２からの入力信号に基づいて、それら監視装置２５１，２５２の検知状態を更新する。当該通常時更新処理については、後に説明する。その後、ステップＳ２０４にて始動入賞処理を実行する。
【０２１８】
始動入賞処理では、作動口スイッチ１５４から入力した信号に基づいて、遊技球が作動口８４に入賞したか否かを判定する。そして、遊技球が作動口８４に入賞している場合には、第１特定ランプ部９３及び図柄表示装置９１の作動保留球数が上限値未満であることを条件として、その入賞に対して大当たりを発生させるか否かの指標となるカウンタ値のＲＡＭ３１３への格納処理を実行する。当該カウンタ値が大当たりの発生に対応した値である場合には、その入賞に対応した遊技回において大当たりが発生することとなる。つまり、始動入賞処理において、大当たりといった特別遊技状態への移行抽選機能（移行判定手段）が果たされる。
【０２１９】
始動入賞処理の後、ＣＰＵ３１１は本タイマ割込み処理を一旦終了する。なお、タイマ割込み処理において、大当たりを発生させるか否かの指標となるカウンタ値を更新する処理なども実行するようにしてもよい。
【０２２０】
次に、電源投入時のリセットに伴い起動されるメイン処理について、図３０のフローチャートを用いて説明する。
【０２２１】
先ずステップＳ３０１では、電源投入に伴う初期設定処理を実行する。具体的には、従側の制御基板（払出制御基板３２２等）が動作可能な状態になるのを待つために例えば１秒程度、ウェイト処理を実行する。続くステップＳ３０２では、ＲＡＭ３１３のアクセスを許可する。
【０２２２】
その後、ステップＳ３０３では、電源及び発射制御装置２４３に設けたＲＡＭ消去スイッチ２４７がオンされているか否かを判定し、続くステップＳ３０４ではＲＡＭ３１３の停電フラグ格納バッファに停電フラグが格納されているか否かを判定する。また、ステップＳ３０５ではＲＡＭ判定値を算出し、続くステップＳ３０６では、そのＲＡＭ判定値が電源遮断時に保存したＲＡＭ判定値と一致するか否か、すなわち記憶保持されたデータの有効性を判定する。ＲＡＭ判定値は、例えばＲＡＭ３１３の作業領域アドレスにおけるチェックサム値である。なお、ＲＡＭ３１３の所定のエリアに書き込まれたキーワードが正しく保存されているか否かにより記憶保持されたデータの有効性を判断することも可能である。
【０２２３】
上述したように、本パチンコ機１０では、例えばホールの営業開始時など、電源投入時にＲＡＭデータを初期化する場合にはＲＡＭ消去スイッチ２４７を押しながら電源が投入される。従って、ＲＡＭ消去スイッチ２４７が押されていれば、ステップＳ３１２〜Ｓ３１５の処理に移行する。また、電源遮断の発生情報が設定されていない場合や、ＲＡＭ判定値（チェックサム値等）により記憶保持されたデータの異常が確認された場合も同様にステップＳ３１２〜Ｓ３１５の処理に移行する。
【０２２４】
ステップＳ３１２では、報知処理を実行する。当該報知処理では、音声ランプ制御基板３２４に報知用コマンドを出力する。これにより、スピーカ部２６からの報知音の出力、エラー表示ランプ部２４の点灯、及び図柄表示装置９１での報知表示が行われる。また、報知処理では、遊技ホールに設けられたホールコンピュータに外部端子板２１３を介して異常信号を出力する。この場合、ホールコンピュータにて、ＲＡＭデータの初期化やＲＡＭ判定値により記憶保持されたデータの異常等が把握される。なお、報知の態様を上記のものに限定されることはなく、例えば上記各態様のいずれか１つとしてもよく、上記各態様の所定の組合せとしてもよい。
【０２２５】
続くステップＳ３１３では、従側の制御基板となる払出制御基板３２２等を初期化するために、払出初期化コマンド等を出力する。続くステップＳ３１４ではＲＡＭ３１３の使用領域を０にクリアし、ステップＳ３１５ではＲＡＭ３１３の初期化処理を実行する。その後、ステップＳ３１６にて割込み許可を設定し、後述する通常処理に移行する。
【０２２６】
一方、ＲＡＭ消去スイッチ２４７が押されていない場合には、停電フラグが格納されていること、及びＲＡＭ判定値（チェックサム値等）が正常であることを条件に、ステップＳ３０７の検知状態把握処理と、ステップＳ３０８及びステップＳ３０９の検知状態の比較判定処理と、を実行する。そして、比較判定処理における判定結果に応じて、ステップＳ３１０〜ステップＳ３１１の処理又はステップＳ３１２〜ステップＳ３１５の処理を実行し、ステップＳ３１６に進む。ステップＳ３０７〜ステップＳ３０９の処理については後に詳細に説明することとする。
【０２２７】
ステップＳ３１２〜ステップＳ３１５の処理は既に説明したとおりであるため、ステップＳ３１０〜ステップＳ３１１の処理を説明すると、ステップＳ３１０では停電フラグ格納バッファに格納されている停電フラグをクリアし、ステップＳ３１１にて従側の制御基板を電源遮断前の遊技状態に復帰させるための復電コマンドを出力する。その後、ステップＳ３１６にて割込み許可を設定し、後述する通常処理に移行する。これにより、電源遮断前の状態に復帰する。
【０２２８】
次に、通常処理について、図３１のフローチャートを用いて説明する。この通常処理では遊技の主要な処理が実行される。
【０２２９】
通常処理において、ステップＳ４０１では、前回の処理で更新されたコマンド等の出力データを従側の各制御基板に出力する。具体的には、後述するコマンド設定処理にてセットされたコマンドを払出制御基板３２２等に対して出力する。また、図柄表示装置９１による第１図柄の変動表示に際して停止図柄コマンド、変動態様コマンド等を音声ランプ制御基板３２４に出力する。
【０２３０】
続くステップＳ４０２では、第１特定ランプ部９３に表示される色の切り替えを行うための第１特定ランプ部制御処理を実行する。第１特定ランプ部制御処理では、大当たり判定や第１特定ランプ部９３に配設されたＬＥＤランプの光源スイッチのオンオフ制御などが行われる。そして、第１特定ランプ制御処理では、始動入賞処理にて格納されたカウンタ値に基づいて大当たりを発生させると判定した場合、遊技状態を大当たり状態に移行させる。つまり、第１特定ランプ制御処理において、特別遊技状態への移行機能（移行手段）が果たされる。なお、第１特定ランプ部制御処理において、図柄表示装置９１による第１図柄の変動表示の設定も行われる。
【０２３１】
第１特定ランプ部制御処理の後は、ステップＳ４０３にて大入賞口開閉処理を実行する。大入賞口開閉処理では、大当たり状態である場合において可変入賞装置８３の大入賞口を開放又は閉鎖する。すなわち、大当たり状態のラウンド毎に大入賞口を開放し、大入賞口の最大開放時間が経過したか、又は大入賞口に遊技球が規定数だけ入賞したかを判定する。この規定数だけ入賞したか否かの判定は、上述した大入賞口用カウンタを確認することにより行われる。そして、これら何れかの条件が成立すると大入賞口を閉鎖する。つまり、大入賞口開閉処理において、特別遊技状態の進行機能（進行手段）が果たされる。
【０２３２】
その後、ステップＳ４０４では、第２特定ランプ部９４に表示される色の切り替え処理を行うための第２特定ランプ部制御処理を実行する。第２特定ランプ制御処理では、ゲート保留球数が１以上であることを条件に第２特定ランプ部９４における表示色の切り換えを開始する。この際、表示色の切り換え時間も設定する。そして、作動口８４に付随する電動役物を所定時間開放する場合には、第２特定ランプ部９４において所定の色の停止表示が行われる。
【０２３３】
ステップＳ４０４の後は、ステップＳ４０５にて、遊技球発射制御処理を実行する。遊技球発射制御処理では、電源及び発射制御基板３２１の発射制御部３２１ｂから発射許可信号を入力していることを条件として、所定期間（例えば、０．６ｓｅｃ）に１回、遊技球発射機構１１０のソレノイド１１１を励磁する。これにより、発射レール１１２上にある遊技球が遊技領域に向けて打ち出される。ちなみに、発射許可信号は、ＣＰＵ３１１における入力ポート３１１以外の入力ポートに入力されており、当該遊技球発射制御処理にてその入力ポートに発射許可信号があるか否かを確認する。
【０２３４】
続くステップＳ４０６では、ＲＡＭ３１３内に設けられた停電フラグ格納バッファに停電フラグが格納されているか否かを判定する。停電フラグが格納されていない場合は、繰り返し実行される複数の処理の最後の処理が終了したこととなるので、ステップＳ４０７にて次の通常処理の実行タイミングに至ったか否か、すなわち前回の通常処理の開始から所定時間（本実施形態では４ｍｓｅｃ）が経過したか否かを判定する。所定時間が経過していない場合には、ステップＳ４０６に戻り、所定時間が経過している場合には、ステップＳ４０１に戻る。
【０２３５】
一方、ステップ４０６にて、停電フラグが格納されている場合は、電源遮断が発生したことになるので、ステップＳ４０８以降の停電時処理を実行する。つまり、ステップＳ４０８では、タイマ割込み処理の発生を禁止する。続くステップＳ４０９では、電断時更新処理を実行する。この電断時更新処理については、後に説明する。その後、ステップＳ４１０にて電源が遮断されたことを示す停電コマンドを他の制御基板に対して出力する。そして、ステップＳ４１１にてＲＡＭ判定値を算出、保存し、ステップＳ４１２にてＲＡＭ３１３のアクセスを禁止した後に、電源が完全に遮断して処理が実行できなくなるまで無限ループを継続する。なお、電源が完全に遮断された後も、電源及び発射制御基板３２１のデータ記憶保持用コンデンサ３２１ｃからデータ記憶保持用電力が供給されるため、電源遮断前にＲＡＭ３１３に記憶されていた情報はそのままの状態で所定の期間内（例えば、１日や２日）保持される。
【０２３６】
次に、電源遮断中における前扉枠１４及び遊技機主部１２の不正開放の監視に関する電気的構成について、図３２のブロック図に基づいて説明する。
【０２３７】
主制御装置１６２には、第１監視装置２５１及び第２監視装置２５２が電気的に接続されている。第１監視装置２５１及び第２監視装置２５２では、既に説明したように、パチンコ機１０の電源投入中又は電源遮断中であるかに関係なく、前扉枠１４又は遊技機主部１２が開閉操作される毎に複数段階の検知状態が変更され、パチンコ機１０の電源投入中においてその検知状態の情報が主制御装置１６２に入力される。
【０２３８】
主制御装置１６２のＣＰＵ３１１では、第１監視装置２５１及び第２監視装置２５２から入力した信号に基づいて、各監視装置２５１，２５２の検知状態を把握する。この場合、ＣＰＵ３１１のＲＡＭ３１３には、第１検知状態格納エリア３１３ａ及び第２検知状態格納エリア３１３ｂが設けられている。そして、電源投入中において把握した第１監視装置２５１の検知状態は第１検知状態格納エリア３１３ａに格納され、電源投入中において把握した第２監視装置２５２の検知状態は第２検知状態格納エリア３１３ｂに格納される。ＲＡＭ３１３は、上記のとおりパチンコ機１０の電源遮断中においてもデータ記憶保持用の電力が供給され、データの記憶保持が行われる構成であるため、電源遮断時に各検知状態格納エリア３１３ａ，３１３ｂに格納されていた検知状態は、データ記憶保持用の電力が供給されている範囲において記憶保持される。ＣＰＵ３１１では、各監視装置２５１，２５２から入力する検知状態の情報に基づいて、電源遮断中における前扉枠１４及び遊技機主部１２の不正開放が行われたか否かを判定し、その判定結果に基づいて報知処理を実行する。
【０２３９】
次に、電源遮断中における前扉枠１４及び遊技機主部１２の不正開放に関して、主制御装置１６２のＣＰＵ３１１により実行される各制御処理を説明する。
【０２４０】
先ず、タイマ割込み処理（図２９）にて実行される処理について説明する。
【０２４１】
タイマ割込み処理におけるステップＳ２０１の信号読み込み処理において、第１監視装置２５１及び第２監視装置２５２から入力した信号（電気信号パターン）の読み込みが行われる。この読み込まれた信号の情報は、ＣＰＵ３１１のレジスタに記憶保持される。この場合、ＣＰＵ３１１には第１レジスタと第２レジスタとが少なくとも設けられており、第１監視装置２５１の信号の情報は第１レジスタに記憶保持され、第２監視装置２５２の信号の情報は第２レジスタに記憶保持される。これは、ＣＰＵ３１１のレジスタに関する以下の説明においても同様である。また、タイマ割込み処理におけるステップＳ２０３では、通常時更新処理を実行する。
【０２４２】
通常更新処理について、図３３のフローチャートを用いて説明する。
【０２４３】
通常時更新処理では、先ずステップＳ５０１にて、第１更新処理を実行する。第１更新処理では、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する処理である。
【０２４４】
当該第１更新処理について詳細には、図３４のフローチャートに示すように、先ずステップＳ６０１にて比較処理を実行する。比較処理では、上記信号読み込み処理にてＣＰＵ３１１のレジスタに記憶した検知状態の情報と、ＲＡＭ３１３の第１検知状態格納エリア３１３ａに格納されている検知状態の情報とを比較する。続くステップＳ６０２では比較処理にて比較した各検知状態が一致しているか否かを判定する。その結果、一致している場合には、そのまま本第１更新処理を終了する。一方、一致していない場合には、ステップＳ６０３にて、最新の検知状態の情報、すなわちＣＰＵ３１１のレジスタに記憶されている検知状態の情報を、第１検知状態格納エリア３１３ａに格納した後に、本第１更新処理を終了する。
【０２４５】
通常更新処理の説明に戻り、ステップＳ５０１にて第１更新処理を実行した後は、ステップＳ５０２にて第２更新処理を実行する。第２更新処理では、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する処理である。この具体的な、処理内容については、第１更新処理と同様であるため、ここでは説明を省略する。ステップＳ５０２にて第２更新処理を実行した後に、本通常時更新処理を終了する。
【０２４６】
次に、通常処理（図３１）にて実行される処理について説明する。
【０２４７】
通常処理では、ＮＭＩ割込み処理において停電フラグがセットされた場合、上記のとおりステップＳ４０８〜ステップＳ４１２の停電時処理を実行する。そして、停電時処理では第１監視装置２５１及び第２監視装置２５２に関して、ステップＳ４０９にて電断時更新処理を実行する。
【０２４８】
電断時更新処理では、図３５のフローチャートに示すように、先ずステップＳ７０１にて信号読み込み処理を実行する。この信号読み込み処理では、第１監視装置２５１及び第２監視装置２５２から入力した信号（電気信号パターン）の読み込みが行われる。そして、この読み込まれた信号の情報は、ＣＰＵ３１１のレジスタに記憶保持される。続くステップＳ７０２では、第１更新処理を実行する。第１更新処理では既に説明したように、信号読み込み処理にて把握した第１監視装置２５１の検知状態の情報が、ＲＡＭ３１３の第１検知状態格納エリア３１３ａに格納されている検知状態の情報と異なっている場合に、検知状態の情報の更新を実行する。続くステップＳ７０３では、第２更新処理を実行する。第２更新処理では既に説明したように、信号読み込み処理にて把握した第２監視装置２５２の検知状態の情報が、ＲＡＭ３１３の第２検知状態格納エリア３１３ｂに格納されている検知状態の情報と異なっている場合に、検知状態の情報の更新を実行する。第２更新処理を実行した後に、本電断時更新処理を終了する。上記のように電断時更新処理が実行されることにより、パチンコ機１０の電源が遮断される時点での各監視装置２５１，２５２における検知状態の情報のＲＡＭ３１３への記憶が確実に行われる。
【０２４９】
次に、メイン処理（図３０）にて実行される処理について説明する。
【０２５０】
メイン処理では、各監視装置２５１，２５２に関して、ステップＳ３０７にて検知状態把握処理を実行するとともに、ステップＳ３０８及びステップＳ３０９にて比較判定処理を実行する。検知状態把握処理では、ステップＳ７０１等の信号読み込み処理と同様に、第１監視装置２５１及び第２監視装置２５２から入力した信号の読み込みが行われ、この読み込まれた信号の情報は、ＣＰＵ３１１のレジスタに記憶保持される。
【０２５１】
続くステップＳ３０８では、比較処理を実行する。比較処理では、上記検知状態把握処理にてＣＰＵ３１１のレジスタに記憶した第１監視装置２５１の検知状態の情報と、ＲＡＭ３１３の第１検知状態格納エリア３１３ａに格納されている検知状態の情報とを比較する。また、比較処理では、上記検知状態把握処理にてＣＰＵ３１１のレジスタに記憶した第２監視装置２５２の検知状態の情報と、ＲＡＭ３１３の第２検知状態格納エリア３１３ｂに格納されている検知状態の情報とを比較する。
【０２５２】
続くステップＳ３０９では、比較処理にて比較した第１監視装置２５１の各検知状態が一致しているか否かを判定するとともに、第２監視装置２５２の各検知状態が一致しているか否かを判定する。その結果、両方がそれぞれ一致している場合には、ステップＳ３１０〜ステップＳ３１１の処理を実行する。また、いずれか一方でも一致していない場合には、ステップＳ３１２〜ステップＳ３１５の処理を実行する。この場合、特にステップＳ３１２の報知処理が実行されることにより、第１監視装置２５１又は第２監視装置２５２の少なくとも一方について、電断時と復電時とで検知状態が異なっていること、すなわち電源遮断中において前扉枠１４又は遊技機主部１２が不正開放されたことが報知される。
【０２５３】
以上詳述した本実施形態によれば、以下の優れた効果を奏する。
【０２５４】
複数段階の検知状態（待機状態）が予め設定されているとともに、前扉枠１４が開閉操作されたことに機械的に連動して検知状態が当該開閉操作前の状態から変更される第１監視装置２５１を設けた。また、主制御装置１６２では、外部電源からの電力供給が遮断された時点における第１監視装置２５１の検知状態をＲＡＭ３１３にて記憶するとともに、電力供給が遮断された状況下においてその記憶内容を保持するようにした。そして、外部電源からの電力供給が開始された場合には、ＲＡＭ３１３に記憶保持されている検知状態と、電力供給の開始後に把握した検知状態とを比較し、両者が一致しない場合にはその旨の報知を行うようにした。これにより、外部電源からの電力供給が遮断されている状況において前扉枠１４が不正に開閉操作されていた場合には、その旨を遊技ホールの管理者等に報知することができ、上記不正行為に対処するよう促すことができる。
【０２５５】
複数段階の検知状態（待機状態）が予め設定されているとともに、遊技機主部１２が開閉操作されたことに機械的に連動して検知状態が当該開閉操作前の状態から変更される第２監視装置２５２を設けた。また、主制御装置１６２では、外部電源からの電力供給が遮断された時点における第２監視装置２５２の検知状態をＲＡＭ３１３にて記憶するとともに、電力供給が遮断された状況下においてその記憶内容を保持するようにした。そして、外部電源からの電力供給が開始された場合には、ＲＡＮ３１３に記憶保持されている検知状態と、電力供給の開始後に把握した検知状態とを比較し、両者が一致しない場合にはその旨の報知を行うようにした。これにより、外部電源からの電力供給が遮断されている状況において遊技機主部１２が不正に開放操作されていた場合には、その旨を遊技ホールの管理者等に報知することができ、上記不正行為に対処するよう促すことができる。
【０２５６】
また、上記のように、外部電源から電力供給が遮断された時点における各監視装置２５１，２５２の検知状態をＲＡＭ３１３に記憶するとともに、電力供給が遮断された状況下においてその記憶内容を保持するようにした。パチンコ機１０において外部電源からの電力供給が遮断されるタイミングは不規則であり、各監視装置２５１，２５２がいずれの検知状態の場合に電力供給が遮断されるかは予め特定することはできない。この場合に、外部電源からの電力供給が遮断された時点の検知状態の一定化を図ろうとすると、例えば、各監視装置２５１，２５２の検知状態に初期検知状態を設定しておくとともに、外部電源からの電力供給が遮断された時点で各監視装置２５１，２５２の検知状態を初期検知状態に変更させる必要が生じる。そうすると、各監視装置２５１，２５２の構成が複雑化してしまう。これに対して、本実施形態における構成によれば、上記のような各監視装置２５１，２５２の構成の複雑化を招くことなく、上記優れた効果を得ることができる。
【０２５７】
外部電源からの電力供給が遮断される場合に実行される停電時処理において、その時点での各監視装置２５１，２５２の検知状態をＲＡＭ３１３に記憶させるようにした。これにより、外部電源からの電力供給が遮断された時点における検知状態をＲＡＭ３１３に確実に記憶させることができる。
【０２５８】
外部電源からの電力供給が行われている状況では、タイマ割込み処理（図２９）において、各監視装置２５１，２５２の検知状態を定期的に確認するとともに、その確認した検知状態がＲＡＭ３１３に記憶されている検知状態と異なっている場合には検知状態を更新するようににした。パチンコ機１０において外部電源からの電力供給が遮断されるタイミングは不規則であり、各監視装置２５１，２５２がいずれの検知状態の場合に電力供給が遮断されるかは予め特定することはできない。この場合に、上記のように検知状態が変更された場合にはＲＡＭ３１３の記憶内容をその変更された検知状態に更新することで、外部電源からの電力供給がいずれのタイミングで遮断されたとしても、その遮断時点における検知状態をＲＡＭ３１３に記憶させておくことができる。
【０２５９】
外部電源からの電力供給の開始時に実行されるメイン処理（図３０）において、ＲＡＭ３１３に記憶されている各検知状態と、電力供給の開始後に把握した各検知状態とを比較する比較処理を実行するとともに、前者と後者とが一致しない場合には報知処理を実行するようにした。これにより、電力供給が遮断されている状況において前扉枠１４や遊技機主部１２が不正に開放操作されていた場合には、電力供給の開始後に迅速に対処することが可能となる。
【０２６０】
各監視装置２５１，２５２において、閉鎖状態にある開閉体（すなわち、前扉枠１４又は遊技機主部１２）が開放操作されたことに基づいて検知状態が当該操作前の状態から変更され、開放状態にある開閉体が閉鎖操作されたとしても検知状態が変更されないようにした。開放状態にある開閉体が閉鎖操作されたとしても検知状態が変更されないようにすることで、パチンコ機１０のメンテナンス時などといった開閉体が開放状態である状況で外部電源からの電力供給が遮断されたとしても、その後の閉鎖操作により各監視装置２５１，２５２の検知状態がＲＡＭ３１３に記憶された検知状態と異なるものとなってしまうことはない。これにより、上記のように電力供給の遮断中における開閉体の不正な開放操作を監視装置２５１，２５２により監視するようにした構成において、パチンコ機１０のメンテナンス性の低下を極力抑制することが可能となる。一方、閉鎖状態にある開閉体が開放操作されたことに基づいて各監視装置２５１，２５２が操作前の状態から変更されるため、外部電源からの電力供給が遮断された状況において、開閉体の不正な開閉操作を監視することは可能である。
【０２６１】
各監視装置２５１，２５２がいずれの検知状態にあるかが、各監視装置２５１，２５２の外観上、識別不可とした。これにより、不正行為者などに各監視装置２５１，２５２の検知状態がいずれであるかが知られてしまうことが防止できる。
【０２６２】
（第２の実施形態）
本実施形態では、監視装置の構成が上記第１の実施形態と異なっている。そこで、その相違点について図３６を参照して説明する。図３６（ａ）は自然状態における監視装置４００の断面図、図３６（ｂ）は押圧状態における監視装置４００の断面図である。なお、図３６において上記第１の実施形態と同様の構成については同一の番号を付すとともにその説明を省略する。
【０２６３】
図３６（ａ）に示すように、本実施形態の監視装置４００は、上記第１の実施形態と異なり、回転軸体２６１は無底の略筒状をなしている。この回転軸体２６１の貫通孔４０１に挿通させて開放センサ４０２が設けられている。開放センサ４０２は、土台用ケース体２５４上に固定されており、回転軸体２６１の軸部２６１ｂの先端から出没可能なピン４０３を有している。なお、開放センサ４０２は回転軸体２６１と干渉しないように設けられており、開放センサ４０２により回転軸体２６１の回転移動が阻害されることはない。
【０２６４】
上記構成では、図３６（ｂ）に示すように、プッシャ２６６が押圧され最大押圧位置にある場合、開放センサ４０２のピン４０３が押し込まれて開閉体の閉鎖が検知され、開閉体を開放した状態では、図３６（ａ）に示すように、ピン４０３が突出位置に戻って開閉体の開放が検知されるようになっている。そして、開放センサ４０２は、主制御装置１６２と電気的に接続されており、検知結果は主制御装置１６２に対して出力される。なお、この検知結果の出力は、コネクタ２９２を通じて検知装置２５８における検知結果とまとめて行われる。
【０２６５】
上記監視装置４００を前扉枠１４の第１監視装置２５１として適用することにより、第１監視装置２５１では電源遮断中の前扉枠１４の不正開放を監視する機能だけでなく、電源投入中において前扉枠１４が開放状態か否かを検知する機能も果たされる。よって、第１監視装置２５１の構成が上記第１の実施形態に比べ複雑化するものの、前扉枠開放センサ７８を第１監視装置２５１と別に設ける必要がないため、パチンコ機１０の部品点数の削減が図られる。
【０２６６】
また、上記監視装置４００を遊技機主部１２（又は本体枠１３）の第２監視装置２５２として適用することにより、第２監視装置２５２では電源遮断中の遊技機主部１２の不正開放を監視する機能だけでなく、電源投入中において遊技機主部１２が開放状態か否かを検知する機能も果たされる。よって、第２監視装置２５２の構成が上記第１の実施形態に比べ複雑化するものの、本体枠開放センサ２３０を第２監視装置２５２と別に設ける必要がないため、パチンコ機１０の部品点数の削減が図られる。
【０２６７】
（第３の実施形態）
以下、スロットマシンに関する第３の実施形態を、図面に基づいて説明する。図３７はスロットマシン４１０の前面扉４１２を開いた状態の斜視図である。
【０２６８】
図３７に示すように、スロットマシン４１０は前方に開放した箱状の筐体４１１と、筐体４１１の前面側に開閉可能に取り付けられた前面扉４１２とを備えている。前面扉４１２には表示窓４１３が形成されており、当該表示窓４１３を通じて筐体４１１の内部に設けられた絵柄表示装置としてのリールユニット４１４による図柄の可変表示が視認可能となっている。当該リールユニット４１４における図柄の可変表示は、前面扉４１２の前面に設けられた図示しないスタートレバーが操作されたことに基づいて開始され、同じく前面扉４１２の前面に設けられた図示しないストップスイッチが操作されたことに基づいて停止される。また、前面扉４１２にはその裏面に表示制御装置４１５が設置されている。表示制御装置４１５は前面扉４１２に設けられたスピーカ、ランプ、補助表示部等の駆動制御を行う機能を有している。
【０２６９】
筐体４１１内においてリールユニット４１４の上方には、主制御装置４１６が設置されている。当該主制御装置４１６による制御に基づいてリールユニット４１４において図柄の可変表示が行われるとともに、表示制御装置４１５におけるスピーカ等の駆動制御が行われる。また、主制御装置４１６は、入賞役の抽選等といった当否判定機能を有しており、リールユニット４１４における遊技結果が当否判定結果と一致することで遊技者に特典が付与される。また、筐体４１１内には、主制御装置１６２などに電力を供給する電源装置４１７が設けられている。
【０２７０】
上記スロットマシン４１０においては、パチンコ機１０と同様に、電源遮断中において前面扉４１２を不正に開放する行為が想定される。これに対して、筐体４１１には上記第１の実施形態と同様の監視装置２５０が設置されている。監視装置２５０は、前面扉４１２の開放状態では自然状態にあり、前面扉４１２の閉鎖状態では押圧状態にある。そして、電源遮断中及び電源投入中のいずれにおいても前面扉４１２の開閉操作が行われることで、監視装置２５０の検知状態が変更される。
【０２７１】
本構成によれば、電源遮断中において前面扉４１２が不正に開放されたとしても、監視装置２５０の検知状態が電源遮断時点から変更されることで、主制御装置４１６などにおいてそれを把握することができる。よって、上記不正行為に対処することができる。なお、スロットマシン４１０においては、電源遮断中において前面扉４１２を不正に開放し、主制御装置４１６を不正な制御装置に交換するといった主制御装置４１６に対する不正行為が想定される。当該不正行為に対しては、監視装置２５０を表示制御装置４１５や監視装置２５０専用の制御装置と電気的に接続し、その電気的に接続した制御装置において監視装置２５０の監視処理を行うことで、上記主制御装置４１６に対する不正行為に対処することができる。
【０２７２】
（他の実施形態）
なお、上述した各実施形態の記載内容に限定されず、例えば次のように実施してもよい。ちなみに、以下の各構成を相互に適用してもよい。
【０２７３】
（１）監視装置の変形例を、図３８を参照して説明する。図３８は別の監視装置４２０の内部構成を説明するための説明図であり、図３８（ａ）は自然状態を示し、図３８（ｂ）は最大押圧状態を示し、図３８（ｃ）は最大押圧状態から自然状態に復帰する途中の状態を示す。
【０２７４】
図３８（ａ）に示すように、監視装置４２０は、四角箱状のハウジング４２１を備えている。ハウジング４２１にはプッシャ４２２が設けられており、プッシャ４２２はその一端側がハウジング４２１外に突出している。プッシャ４２２はバネ４２３によりハウジング４２１の外方に向けて付勢されており、その付勢力に抗する力で押圧されることでハウジング４２１内に向けて移動する。
【０２７５】
ハウジング４２１には、連動ギア４２４が設けられている。連動ギア４２４は、その回転軸方向がプッシャ４２２の移動方向と交差している（具体的には、直交している）。連動ギア４２４は、第１ギア４２５と、当該第１ギア４２５よりも小型の第２ギア４２６とが一体形成されたものであり、これら第１ギア４２５及び第２ギア４２６は各回転軸が同一軸線上に位置するようにして当該軸線方向に並設されている。なお、これら第１ギア４２５と第２ギア４２６とが別体であり、両者を一体化して連動ギア４２４を構成してもよい。連動ギア４２４のうち第１ギア４２５は、その外周に、二等辺三角形の歯が連続して形成されたものであり、第２ギア４２６は、回転方向を一方に制限するためのラチェットとして形成されている。
【０２７６】
連動ギア４２４は、プッシャ４２２が最大押圧位置から自然状態に復帰する際に回転する。当該構成について詳細には、プッシャ４２２にはその側面から突出する爪部材４２７が取り付けられている。爪部材４２７はプッシャ４２２の内部に形成された穴部４２８に一端側が挿入されており、バネ４２９により外方に向けて付勢されている。そして、爪部材４２７に対してバネ４２９の付勢力に抗する力が加えられた場合、爪部材４２７は穴部４２８内方に向けて移動する。
【０２７７】
爪部材４２７は、自然状態において第２ギア４２６の周面と当接している。この場合、第２ギア４２６は、プッシャ４２２が最大押圧位置に向けて移動する場合には爪部材４２７が第２ギア４２６の歯を乗り越え、プッシャ４２２が最大押圧位置から自然状態に復帰する際に爪部材４２７が第２ギア４２６の歯に食い込むようになっている。
【０２７８】
連動ギア４２４は、ハウジング４２１に設置されたストッパ４３０により移動が規制されており、プッシャ４２２が最大押圧位置から自然状態に復帰するタイミング以外において回転しないようになっている。この場合、ストッパ４３０の先端は、第１ギア４２５の歯と噛み合う山形状となっている。また、ストッパ４３０は、金属（又は合成樹脂）により薄板状に形成されており、板バネとして機能する。そして、この板バネの付勢力は、プッシャ４２２を押圧するバネ４２３の付勢力よりも小さくなっている。
【０２７９】
上記構成においては、プッシャ４２２が自然状態から最大押圧位置に移動する場合、爪部材４２７は第２ギア４２６の歯を乗り越えるため、図３８（ｂ）に示すように、連動ギア４２４は回転しない。一方、プッシャ４２２が最大押圧位置から自然状態に復帰する場合、爪部材４２７は第２ギア４２６の歯に食い込む。そして、この食い込みにより、図３８（ｃ）に示すように、連動ギア４２４をストッパ４３０の付勢力に抗して回転させる。その後、図３８（ａ）に示すように、プッシャ４２２が自然状態に復帰することで、連動ギア４２４は第１ギア４２５の歯とストッパ４３０の先端とが噛み合った状態となる。つまり、連動ギア４２４は、プッシャ４２２が最大押圧位置から自然状態に移動する場合に特定方向に回転し、その回転量は第１ギア４２５の１つの歯分となっている。さらに言うと、連動ギア４２４は、複数（具体的には、第１ギア４２５の歯の数分）の待機位置を有しており、プッシャ４２２が最大押圧位置から自然状態に移動する場合に一の待機位置から次の待機位置に回転する。
【０２８０】
上記連動ギア４２４を備えた構成において、監視装置４２０には上記第１の実施形態と同様の検知装置が内蔵されている。また、連動ギア４２４の第１ギア４２５における第２ギア４２６側とは反対側の面には被検知部が設けられている。そして、これら検知装置及び被検知部により、連動ギア４２４の待機位置が検知され、遊技機の電源投入中においてその検知結果が制御装置に出力される。
【０２８１】
以上説明した監視装置４２０によれば、プッシャ４２２の移動に連動した連動ギア４２４の回転が確実に行われるように、プッシャ４２２を押圧するバネ４２３の付勢力とストッパ４３０の付勢力とを正確に調整する必要がある点で上記第１の実施形態の管理装置２５０よりも設計が難化するものの、遊技機の電源遮断中における開閉体の不正開放が行われた場合には検知状態が変更されるため、当該不正開放に対処することができる。また、開閉体が閉鎖操作された場合には検知状態が変更することなく、開閉体が開放操作された場合に検知状態が変更するようにすることができる。
【０２８２】
（２）監視装置２５０の構成を、複数段階の検知状態の１つを初期検知状態として設定するとともに、監視装置２５０に電動アクチュエータを設け、外部電源からの電力供給が遮断される場合には、当該電動アクチュエータを駆動させることで監視装置２５０の検知状態を初期検知状態に変更させる構成としてもよい。当該構成においては、外部電源からの電力供給が遮断される場合には監視装置２５０の検知状態は必ず初期検知状態となる。したがって、電力供給が遮断される場合にＲＡＭ３１３に監視装置２５０の検知状態を記憶させる必要はない。また、ＲＯＭ３１２に初期検知状態を記憶させておき、外部電源からの電力供給が開始された場合には、ＲＯＭ３１２に記憶された初期検知状態と、電力供給の開始後に把握した監視装置２５０の検知状態とを比較することで、電力供給が遮断されている状況において開閉体の不正な開閉操作が行われたか否かを確認することができる。
【０２８３】
（３）監視装置２５０を、開閉体の開閉操作に連動して電気的に動作することで検知状態（待機状態）が変更される構成としてもよい。但し、本構成においては、監視装置２５０に対して、遊技機の電源機能とは独立した電源機能を設ける必要がある点で、上記各実施形態よりも遊技ホール等におけるランニングコストの増加を招くこととなるため、この点、上記各実施形態における構成が好ましい。
【０２８４】
（４）検知装置２５８において待機位置を検知するための構成を、上記各実施形態とは異なるものとしてもよい。例えば、上記第１の実施形態において、円盤２６２の裏面に発光素子を複数設けるとともに、それら発光素子を各待機位置に対応させて設置する。また、検知装置２５８には、上記発光素子から照射された光を受光する受光素子を設ける。そして、円盤２６２の待機位置に応じて、光を受光する受光素子の組合せを異ならせる。当該構成によれば、発光素子及び受光素子を設ける必要がある点で上記第１の実施形態よりも構成が複雑化するものの、検知装置２５８において円盤２６２の待機位置を検知することができる。
【０２８５】
（５）監視装置２５０は、監視対象の開閉体が開放状態から閉鎖操作されたとしても検知状態（待機状態）が変更されることはなく、開閉体が閉鎖状態から開放操作された場合に検知状態（待機状態）が変更される構成としたが、これを変更してもよい。
【０２８６】
（５−１）例えば、開閉体が閉鎖状態から開放操作された場合に、検知状態（待機状態）が変更される構成としてもよい。
【０２８７】
（５−２）また、開閉体が閉鎖状態から開放操作された場合及び開閉体が開放状態から閉鎖操作された場合の両方において、それぞれ検知状態（待機状態）が変更される構成としてもよい。具体的には、監視装置２５０においてケース側リブ２７７、ケース側カム溝２７８、回転子側カム溝２８４及び回転子側リブ２８５の数を上記第１の実施形態よりも半減させ、その分、これらの幅寸法を大きくする。これにより、プッシャ２６６が押圧された場合及び押圧位置から自然状態に復帰した場合のいずれにおいても円盤２６２の待機位置が変更されるようにすることができる。
【０２８８】
上記のように開閉体が閉鎖状態から開放操作された場合及び開閉体が開放状態から閉鎖操作された場合の両方において、それぞれ検知状態（待機状態）が変更される構成とした場合、当該監視装置を外部電源からの電力供給が行われている状況での開閉体の開放を監視する装置として兼用することが可能となる。具体的には、検知状態（待機状態）を３個以上の偶数個（４個，６個，８個又は２ｎ）設定し、開閉体の開放状態における検知状態と開閉体の閉鎖状態における検知状態とを同数とする。また、主制御装置１６２のＲＯＭ３１２には、開閉体の開放状態における検知状態の開放情報群と、開閉体の閉鎖状態における検知状態の閉鎖情報群とを予め記憶させておく。そして、外部電源からの電力供給が行われている状況においては、監視装置の検知状態を定期的に把握することで、検知状態が開放情報群に含まれる情報に該当する場合には開閉体が開放状態であることを特定することができ、検知状態が閉鎖情報群に含まれる情報に該当する場合には開閉体が閉鎖状態であることを特定することができる。よって、監視装置において、外部電源からの電力供給が行われている状況での開閉体の開放を監視することが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０２８９】
（６）上記第１の実施形態における監視装置２５０では、プッシャ２６６への押圧力が解除された場合における円盤２６２の移動量の設定と、金属端子２９４の隆起接点２９５に対する被検知部２９８の位置の設定と、により、少なくとも開閉体が閉鎖状態から開放操作された場合に検知状態（待機状態）が変更される。したがって、本監視装置２５０を用いて、外部電源からの電力供給が行われている状況で開閉体が開放されたことを検知することが可能であり、それに伴って外部電源からの電力供給が行われている状況での開閉体の不正開放を監視することが可能となる。具体的には、タイマ割込み処理などにおいて監視装置２５０の検知状態を定期的に把握し、その把握した検知状態が前回把握した検知状態と一致しているか否かを特定する。なお、前回把握した検知状態の特定は、検知状態の把握を行う度にその把握した検知状態をＲＡＭ３１３に記憶させるといった更新処理を実行することで可能である。
【０２９０】
把握した検知状態が前回把握した検知状態と一致していない場合には、それは開閉体が開放されたことを意味し、その事実を主制御装置１６２にて把握することが可能となる。そして、主制御装置１６２において開閉体が開放されたことを把握した場合には、特定出力処理として、表示画面を有する表示装置、スピーカ又はランプの少なくとも一つにおいて所定時間報知を行う構成とすることで、開閉体が開放されたことをパチンコ機１０において報知することが可能となる。また、特定出力処理として、遊技ホールの管理装置（ホールコンピュータ）に開放検知信号を出力することで、例えば、当該管理装置において開閉体が開放された履歴を記憶したり、遊技ホールの監視カメラを該当するパチンコ機１０に向けたりすることが可能となる。本構成の場合、上記第２の実施形態と同様に、前扉枠開放センサ７８及び本体枠開放センサ２３０を不具備とすることが可能となり、上記第１の実施形態に比べ、部材点数の削減を図ることが可能となる。
【０２９１】
（７）上記各実施形態では、連動体として、プッシャ２６６の移動に応じて回転する円盤２６２を設けたが、これを変更してもよい。例えば、連動体として、プッシャ２６６の移動に応じて直線的に移動する直線可動部材を設けてもよい。具体的には、プッシャ２６６の移動方向と同一方向に移動するように直線可動部材を設置する。直線可動部材にはその移動方向に複数の押圧受け部を並設し、プッシャ２６６が押圧位置に移動する度に移動方向奥側の所定位置にある押圧受け部が押されて直線可動部材が移動するようにすることで、プッシャ２６６が押圧される度に直線可動部材が奥側に段階的に移動するようにする。そして、直線可動部材の移動方向の位置を検知する検知装置を設ける。当該構成であっても、監視装置２５０において待機状態（又は検知状態）が変更されることとなり、開閉体の不正開放を監視することは可能である。但し、本構成では、直線可動部材を初期状態に復帰させる電動アクチュエータを設ける必要が生じる。
【０２９２】
（８）各監視装置２５１，２５２の検知状態の更新処理及び検知状態の比較処理に関する構成を上記各実施形態とは異なるものとしてもよい。
【０２９３】
例えば、タイマ割込み処理においても、検知状態の比較処理を実行し、その比較結果に基づいて報知処理といった特定出力処理を実行するようにしてもよい。つまり、定期的に検知状態の更新処理を実行するだけでなく、定期的に検知状態の比較処理を実行する構成としてもよい。
【０２９４】
また、タイマ割込み処理において、検知状態の更新処理、検知状態の比較処理及びその比較結果に基づいた特定出力処理を実行し（これら各処理を定期的に実行し）、外部電源からの電力供給開始時（メイン処理）や外部電源からの電力供給停止時（停電時処理）には、検知状態の更新処理、検知状態の比較処理及びその比較結果に基づいた特定出力処理をいずれも実行しないようにしてもよい。電力供給開始時や電力供給停止時には実行すべき処理数を極力少なくすることが好ましく、本構成によれば、電力供給開始時や電力供給停止時の処理数を増加させることなく、開閉体の不正開放を監視することが可能となる。なお、本構成において、外部電源からの電力供給が行われている状況でメンテナンスとして開閉体が開閉操作された場合にまで上記特定出力処理が実行されてしまうことは好ましくない。したがって、外部電源からの電力供給開始後、最初のタイマ割込み処理でのみ検知状態の比較処理を実行し、その後の電力供給が継続されている状況では、タイマ割込み処理にて検知状態の比較処理を実行しない又は検知状態が一致しない比較結果であったとしても特定出力処理を実行しない構成としてもよい。具体的には、ＲＡＭ３１３に監視完了フラグ格納エリアを設け、電力供給開始時に当該監視完了フラグ格納エリアに監視完了フラグを格納する。そして、タイマ割込み処理では、監視完了フラグが格納されている場合にのみ検知状態の比較処理又は特定出力処理を実行し、これらの処理を実行した後は監視完了フラグを消去するようにする。
【０２９５】
また、タイマ割込み処理において、検知状態の更新処理、検知状態の比較処理及びその比較結果に基づいた特定出力処理のいずれも実行することなく、外部電源からの電力供給停止時に検知状態の更新処理を実行し、外部電源からの電力供給開始時に検知状態の比較処理及びその比較結果に基づいた特定出力処理を実行するようにしてもよい。
【０２９６】
また、外部電源からの電力供給停止時には、検知状態の更新処理、検知状態の比較処理及びその比較結果に基づいた特定出力処理のいずれも実行することなく、タイマ割込み処理において検知状態の更新処理を実行し、外部電源からの電力供給開始時に検知状態の比較処理及びその比較結果に基づいた特定出力処理を実行するようにしてもよい。
【０２９７】
また、外部電源からの電力供給開始時には、検知状態の更新処理、検知状態の比較処理及びその比較結果に基づいた特定出力処理のいずれも実行することなく、外部電源からの電力供給停止時に検知状態の更新処理を実行し、タイマ割込み処理において検知状態の比較処理及びその比較結果に基づいた特定出力処理を実行するようにしてもよい。
【０２９８】
ちなみに、上記各実施形態又は上記構成において検知状態の監視に関してタイマ割込み処理にて実行する処理を通常処理にて実行するようにしてもよい。
【０２９９】
（９）上記各実施形態では、通常時更新処理及び電断時更新処理において、新たに確認した監視装置２５１，２５２の検知状態がＲＡＭ３１３に記憶されている検知状態と異なっている場合に、ＲＡＭ３１３における検知状態の情報の更新を行う構成としたが、これに代えて、前者の検知状態と後者の検知状態とが異なっているか否かに関係なく、ＲＡＭ３１３における検知状態の情報の更新を行うようにしてもよい。当該構成であっても、検知状態が変更された場合にはその検知状態がＲＡＭ３１３に記憶されることとなる。
【０３００】
（１０）上記各実施形態において、メイン処理（図３０）にて、ＲＡＭ３１３に記憶されている検知状態と、電力供給が開始された後に把握した検知状態とが異なっていると判定した場合には、その異常専用の報知処理を実行するようにしてもよい。この場合、ＲＡＭ判定値異常などといった他の異常と上記検知状態の不一致の異常とを区別した態様で報知を行うことが可能となり、上記検知状態の不一致が発生したことを遊技ホールの管理者等に明確に知らせることができる。なお、本構成においては、検知状態が異常であった場合には、ＲＡＭ３１３の初期化処理を実行しないようにしてもよい。
【０３０１】
また、上記各実施形態又は上記専用の報知処理を実行する構成において、第１監視装置２５１の検知状態の異常と第２監視装置２５２の検知状態の異常とをそれぞれ区別するようにしてもよい。この場合、第１監視装置２５１の検知状態と第２監視装置２５２の検知状態とでいずれが異常であるかを、遊技ホールの管理者等に明確に知らせることができる。
【０３０２】
上記のように異常の対象を明確化することで、遊技ホールの管理者等にとっては、適切に対処することが可能となる。
【０３０３】
（１１）上記各実施形態において、ＲＡＭ３１３に記憶されている検知状態と、電力供給が開始された後に把握した検知状態とが異なっていると判定した場合には、報知処理に加えて又は代えて、その後の遊技を禁止する遊技禁止処理を実行するようにしてもよい。この場合、電力供給が遮断されている状況において開閉体が不正に開閉操作され、遊技機を構成する構成部品に不正が行われた場合に、その不正が行われた状態で遊技が開始されてしまうことを確実に阻止することができる。
【０３０４】
（１２）上記第１の実施形態では、前扉枠１４及び遊技機主部１２の両方に対して監視装置２５０を設けたが、いずれか一方に対して監視装置２５０を設ける構成としてもよい。
【０３０５】
（１３）上記第１の実施形態では、各監視装置２５１，２５２を主制御装置１６２と電気的に接続し、当該主制御装置１６２にて検知状態の記憶や検知状態の比較を行うようにしたが、これを変更してもよい。例えば、音声ランプ制御装置１４３、払出制御装置２４２、電源及び発射制御装置２４３又は表示制御装置３２４等にて検知状態の記憶や検知状態の比較を行うようにしてもよい。また、監視装置２５１，２５２専用の制御装置を設け、当該専用の制御装置にて検知状態の記憶や検知状態の比較を行うようにしてもよい。このように主制御装置１６２以外の制御装置において検知状態の記憶や検知状態の比較を行う構成においては、その制御装置の基板ボックスには主制御装置１６２と同様に、カシメや封印シールといった開放に際して痕跡を残す痕跡手段を設けることが好ましい。
【０３０６】
（１４）上記第１の実施形態において、第１監視装置２５１と前扉枠１４との間に押圧片を介在させ、前扉枠１４を本体枠１３に対して閉鎖した場合にはその押圧片により第１監視装置２５１のプッシャ２６６が押圧される構成としてもよい。また、第２監視装置２５２と外枠１１との間に押圧片３００を不具備とし、遊技機主部１２を外枠１２に対して閉鎖した場合には当該外枠１２により第２監視装置２５２のプッシャ２６６が押圧される構成としてもよい。
【０３０７】
（１５）上記第１の実施形態では、一般入賞口８２、可変入賞装置８３、及び作動口８４などの入球部に遊技球が入った場合には、遊技球を払い出す特典を付与する構成としたが、かかる構成に限定されるものではなく、遊技者に何らかの特典が付与される構成であればよい。例えば、入球部に遊技球が入った場合に遊技球以外の賞品を払い出す構成であってもよい。
【０３０８】
（１６）上記各実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３０９】
また、例えば、取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【符号の説明】
【０３１０】
１０…遊技機としてのパチンコ機、１１…外枠、１２…遊技機主体としての遊技機主部、１３…本体枠、１４…遊技機前面体としての前扉枠、８３…可変入賞装置、１６２…主制御装置、２２４…払出装置、２４２…払出制御装置、２５０…監視装置、２５６…ケース体としてのハウジング、２５８…検知装置、２６２…連動体及び回転体としての円盤、２６３…第１バネ、２６４…介在体としての回転子、２６６…移動体としてのプッシャ、２６６ｃ…移動体側突起としての突起、２７１…筒状領域、２７７…ケース側リブ、２７８…ケース側カム溝、２８５…介在体側突起としての回転子側リブ、２８９…介在体側カム部としての回転子側カム部、２９０…移動体側カム部としてのプッシャ側カム部、２９４…金属端子、２９８ａ…被検知部、３００…押圧片、３１１…ＣＰＵ、３１３…ＲＡＭ、３２１ｃ…電断時用電源手段としてのデータ記憶保持用コンデンサ。
【図１】
0005532117.tif 000002
【図２】
0005532117.tif 000003
【図３】
0005532117.tif 000004
【図４】
0005532117.tif 000005
【図５】
0005532117.tif 000006
【図６】
0005532117.tif 000007
【図７】
0005532117.tif 000008
【図８】
0005532117.tif 000009
【図９】
0005532117.tif 000010
【図１０】
0005532117.tif 000011
【図１１】
0005532117.tif 000012
【図１２】
0005532117.tif 000013
【図１３】
0005532117.tif 000014
【図１４】
0005532117.tif 000015
【図１５】
0005532117.tif 000016
【図１６】
0005532117.tif 000017
【図１７】
0005532117.tif 000018
【図１８】
0005532117.tif 000019
【図１９】
0005532117.tif 000020
【図２０】
0005532117.tif 000021
【図２１】
0005532117.tif 000022
【図２２】
0005532117.tif 000023
【図２３】
0005532117.tif 000024
【図２４】
0005532117.tif 000025
【図２５】
0005532117.tif 000026
【図２６】
0005532117.tif 000027
【図２７】
0005532117.tif 000028
【図２８】
0005532117.tif 000029
【図２９】
0005532117.tif 000030
【図３０】
0005532117.tif 000031
【図３１】
0005532117.tif 000032
【図３２】
0005532117.tif 000033
【図３３】
0005532117.tif 000034
【図３４】
0005532117.tif 000035
【図３５】
0005532117.tif 000036
【図３６】
0005532117.tif 000037
【図３７】
0005532117.tif 000038
【図３８】
0005532117.tif 000039